(57)【要約】【課題】より高い信頼性で軸性近視の進行を予測するための新たな技術を提供する。【解決手段】眼科装置は、屈折力測定部と、眼内距離測定部と、記憶部と、解析部と、を含む。屈折力測定部は、被検眼の屈折力の測定値を取得する。眼内距離測定部は、被検眼における１以上の眼内距離の測定値を取得する。記憶部は、正常眼である被測定者の眼の屈折力及び１以上の眼内距離に被測定者の情報が関連付けられた標準データをあらかじめ記憶する。解析部は、屈折力測定部により取得された屈折力の測定値と、眼内距離測定部により取得された１以上の眼内距離の測定値と、被検者の情報と、標準データとに基づいて被検眼が軸性近視であるか否かを判定する。【選択図】図３
2019170706.tif 000002
【特許請求の範囲】
【請求項１】
被検眼の屈折力の測定値を取得する屈折力測定部と、
前記被検眼における１以上の眼内距離の測定値を取得する眼内距離測定部と、
正常眼である被測定者の眼の屈折力及び前記１以上の眼内距離に前記被測定者の情報が関連付けられた標準データをあらかじめ記憶する記憶部と、
前記屈折力測定部により取得された前記屈折力の測定値と、前記眼内距離測定部により取得された前記１以上の眼内距離の測定値と、被検者の情報と、前記標準データとに基づいて前記被検眼が軸性近視であるか否かを判定する解析部と、
を含む眼科装置。
【請求項２】
前記解析部は、前記屈折力の測定値、前記１以上の眼内距離の測定値及び前記被検者の情報と、前記標準データとを比較することにより前記被検眼が軸性近視であるか否かを判定する
ことを特徴とする請求項１に記載の眼科装置。
【請求項３】
前記解析部により得られた前記被検眼が軸性近視であるか否かを示す判定結果に対応した情報を表示手段に表示させる制御部を含む
ことを特徴とする請求項１又は請求項２に記載の眼科装置。
【請求項４】
前記解析部は、前記標準データに基づいて前記眼の屈折力、前記１以上の眼内距離、及び前記被測定者の情報の少なくとも１つを変数としてあらかじめ求められた第１解析情報を参照することにより、前記軸性近視の進行情報を生成する
ことを特徴とする請求項１〜請求項３のいずれか一項に記載の眼科装置。
【請求項５】
被検眼の屈折力の測定値を取得する屈折力測定部と、
前記被検眼における１以上の眼内距離の測定値を取得する眼内距離測定部と、
正常眼である被測定者の眼の屈折力及び前記１以上の眼内距離に前記被測定者の情報が関連付けられた標準データをあらかじめ記憶する記憶部と、
前記屈折力測定部により取得された前記屈折力の測定値と、前記眼内距離測定部により取得された前記１以上の眼内距離の測定値と、被検者の情報と、前記標準データとに基づいて前記被検眼の軸性近視の進行情報を生成する解析部と、
を含む眼科装置。
【請求項６】
前記解析部は、互いに異なる測定タイミングで前記屈折力測定部により取得された２以上の前記屈折力の測定値と、互いに異なる測定タイミングで前記眼内距離測定部により取得された２以上の前記１以上の眼内距離の測定値と、前記被検者の情報と、前記標準データとに基づいて前記被検眼の軸性近視の進行情報を生成する
ことを特徴とする請求項１〜請求項５のいずれか一項に記載の眼科装置。
【請求項７】
被検眼の屈折力の測定値を取得する屈折力測定部と、
前記被検眼における１以上の眼内距離の測定値を取得する眼内距離測定部と、
正常眼である被測定者の眼の屈折力及び前記１以上の眼内距離に前記被測定者の情報が関連付けられた標準データをあらかじめ記憶する記憶部と、
互いに異なる測定タイミングで前記屈折力測定部により取得された２以上の前記屈折力の測定値と、互いに異なる測定タイミングで前記眼内距離測定部により取得された２以上の前記１以上の眼内距離の測定値と、被検者の情報と、前記標準データとに基づいて前記被検眼の軸性近視の進行情報を生成する解析部と、
を含む眼科装置。
【請求項８】
前記解析部は、前記標準データに基づいて前記眼の屈折力と当該屈折力の変化、前記１以上の眼内距離と当該１以上の眼内距離の変化、及び前記被測定者の情報の少なくとも１つを変数としてあらかじめ求められた第２解析情報を参照することにより、前記軸性近視の進行情報を生成する
ことを特徴とする請求項６又は請求項７に記載の眼科装置。
【請求項９】
前記進行情報は、前記屈折力及び前記１以上の眼内距離の少なくとも一方の測定タイミングより後の屈折力及び１以上の眼内距離の少なくとも一方の推定値を含む
ことを特徴とする請求項４〜請求項８のいずれか一項に記載の眼科装置。
【請求項１０】
前記解析部により得られた前記進行情報を表示手段に表示させる制御部を含む
ことを特徴とする請求項４〜請求項９のいずれか一項に記載の眼科装置。
【請求項１１】
前記被測定者の情報及び前記被検者の情報は、年令と性別とを含む
ことを特徴とする請求項１〜請求項１０のいずれか一項に記載の眼科装置。
【請求項１２】
前記被検者の情報は、前記被検者の近親者の眼特性情報を含む
ことを特徴とする請求項１〜請求項１１のいずれか一項に記載の眼科装置。
【請求項１３】
前記１以上の眼内距離は、眼軸長と、脈絡膜厚とを含む
ことを特徴とする請求項１〜請求項１２のいずれか一項に記載の眼科装置。
【請求項１４】
前記脈絡膜厚は、中心窩における脈絡膜厚、中心窩付近の平均脈絡膜厚、中心窩付近を分割して得られた複数の象限それぞれにおける平均脈絡膜厚、及び黄斑部の周辺における脈絡膜厚の少なくとも１つを含む
ことを特徴とする請求項１３に記載の眼科装置。
【請求項１５】
前記眼内距離測定部は、
光源からの光を参照光と測定光とに分割し、前記測定光を前記被検眼に投射し、前記被検眼からの前記測定光の戻り光と前記参照光との干渉光を検出するＯＣＴ光学系と、
前記ＯＣＴ光学系により得られた前記干渉光の検出結果に基づいて前記１以上の眼内距離を求める眼内距離算出部と、
を含む
ことを特徴とする請求項１〜請求項１４のいずれか一項に記載の眼科装置。
【請求項１６】
被検眼の屈折力の測定値、前記被検眼における１以上の眼内距離の測定値、及び被検者の情報を取得する取得ステップと、
前記取得ステップにおいて取得された前記屈折力の測定値、前記１以上の眼内距離の測定値、及び前記被検者の情報と、正常眼である被測定者の眼の屈折力及び前記１以上の眼内距離に前記被測定者の情報が関連付けられた標準データとに基づいて前記被検眼が軸性近視であるか否かを判定する解析ステップと、
をコンピュータに実行させるための眼科情報処理プログラム。
【請求項１７】
前記解析ステップは、前記屈折力の測定値、前記１以上の眼内距離の測定値及び前記被検者の情報と前記標準データとを比較することにより前記被検眼が軸性近視であるか否かを判定する
ことを特徴とする請求項１６に記載の眼科情報処理プログラム。
【請求項１８】
前記解析ステップにおいて得られた前記被検眼が軸性近視であるか否かを示す判定結果に対応した情報を表示手段に表示させる制御ステップを含む
ことを特徴とする請求項１６又は請求項１７に記載の眼科情報処理プログラム。
【請求項１９】
被検眼の屈折力の測定値、前記被検眼における１以上の眼内距離の測定値、及び被検者の情報を取得する取得ステップと、
前記取得ステップにおいて取得された前記屈折力の測定値と、前記１以上の眼内距離の測定値と、前記被検者の情報と、正常眼である被測定者の眼の屈折力及び前記１以上の眼内距離に前記被測定者の情報が関連付けられた標準データとに基づいて前記被検眼の軸性近視の進行情報を生成する解析ステップと、
をコンピュータに実行させるための眼科情報処理プログラム。
【請求項２０】
前記解析ステップは、互いに異なる測定タイミングで前記取得ステップにおいて取得された２以上の前記屈折力の測定値、２以上の前記１以上の眼内距離の測定値と、前記被検者の情報と、前記標準データとに基づいて前記被検眼の軸性近視の進行情報を生成する
ことを特徴とする請求項１６〜請求項１９のいずれか一項に記載の眼科情報処理プログラム。
【請求項２１】
被検眼の屈折力の測定値、前記被検眼における１以上の眼内距離の測定値、及び被検者の情報を取得する取得ステップと、
互いに異なる測定タイミングで前記取得ステップにおいて取得された２以上の前記屈折力の測定値と、２以上の前記１以上の眼内距離の測定値と、被検者の情報と、正常眼である被測定者の眼の屈折力及び前記１以上の眼内距離に前記被測定者の情報が関連付けられた標準データとに基づいて前記被検眼の軸性近視の進行情報を生成する解析ステップと、
をコンピュータに実行させるための眼科情報処理プログラム。
【請求項２２】
前記進行情報は、前記屈折力及び前記１以上の眼内距離の少なくとも一方の測定タイミングより後の屈折力及び１以上の眼内距離の少なくとも一方の推定値を含む
ことを特徴とする請求項１９〜請求項２１のいずれか一項に記載の眼科情報処理プログラム。
【請求項２３】
前記解析ステップにおいて得られた前記進行情報を表示手段に表示させる制御ステップを含む
ことを特徴とする請求項１９〜請求項２２のいずれか一項に記載の眼科情報処理プログラム。
【請求項２４】
前記被測定者の情報及び前記被検者の情報は、年令と性別とを含む
ことを特徴とする請求項１６〜請求項２３のいずれか一項に記載の眼科情報処理プログラム。
【請求項２５】
前記被検者の情報は、前記被検者の近親者の眼特性情報を含む
ことを特徴とする請求項１６〜請求項２４のいずれか一項に記載の眼科情報処理プログラム。
【請求項２６】
前記１以上の眼内距離は、眼軸長と、脈絡膜厚とを含む
ことを特徴とする請求項１６〜請求項２５のいずれか一項に記載の眼科情報処理プログラム。
【請求項２７】
前記脈絡膜厚は、中心窩における脈絡膜厚、中心窩付近の平均脈絡膜厚、中心窩付近を分割して得られた複数の象限それぞれにおける平均脈絡膜厚、及び黄斑部の周辺における脈絡膜厚の少なくとも１つを含む
ことを特徴とする請求項２６に記載の眼科情報処理プログラム。
【発明の詳細な説明】
【技術分野】
【０００１】
この発明は、眼科装置、及び眼科情報処理プログラムに関する。
【背景技術】
【０００２】
近年、近視と考えられる裸眼視力を有する人の数が増加し続けており、大きな社会問題となっている。近視の原因には、遺伝的な要因や環境的な要因などがあると考えられている。近視は、生活の質（Ｑｕａｌｉｔｙ  ｏｆ  Ｌｉｆｅ：ＱＯＬ）の低下を招くだけでなく失明のリスクファクターになり得るため、近視進行に対する対策は重要な課題の１つである。
【０００３】
近視進行に対する対策の１つに、近視の進行予測がある。近視の進行予測は、例えば、遺伝的な要因の近視に対して、例えば、注意喚起、近視抑制提案、定期健診の勧め等の対策の早期の実施を可能にする。また、近視の進行予測は、例えば、環境的な要因の近視に対して、生活習慣の見直し等の対策の早期の実施を可能にする。
【０００４】
例えば、特許文献１には、近視進行を診断するための近視進行診断装置が開示されている。この近視進行診断装置は、眼軸線に対して所定の角度を成す方向に光を照射して眼底の周辺視野の光学データを取得し、取得された光学データを解析することで測定光の焦点の前後の屈折度数から近視の進行の有無を予測する。
【先行技術文献】
【特許文献】
【０００５】
【特許文献１】特許第５６６７７３０号公報
【発明の概要】
【発明が解決しようとする課題】
【０００６】
しかしながら、近年の近視進行に関する研究では、近視と眼底の周辺視野の形態との相関が認められないことが一般化しつつある。特に、軸性近視の進行について、眼底の周辺視野の光学データに基づいて予測することは、却って信頼性を低下させる可能性がある。
【０００７】
本発明は、このような事情を鑑みてなされたものであり、その目的は、より高い信頼性で軸性近視の進行を予測するための新たな技術を提供することにある。
【課題を解決するための手段】
【０００８】
いくつかの実施形態の第１態様は、被検眼の屈折力の測定値を取得する屈折力測定部と、前記被検眼における１以上の眼内距離の測定値を取得する眼内距離測定部と、正常眼である被測定者の眼の屈折力及び前記１以上の眼内距離に前記被測定者の情報が関連付けられた標準データをあらかじめ記憶する記憶部と、前記屈折力測定部により取得された前記屈折力の測定値と、前記眼内距離測定部により取得された前記１以上の眼内距離の測定値と、被検者の情報と、前記標準データとに基づいて前記被検眼が軸性近視であるか否かを判定する解析部と、を含む眼科装置である。
【０００９】
いくつかの実施形態の第２態様では、第１態様において、前記解析部は、前記屈折力の測定値、前記１以上の眼内距離の測定値及び前記被検者の情報と、前記標準データとを比較することにより前記被検眼が軸性近視であるか否かを判定する。
【００１０】
いくつかの実施形態の第３態様は、第１態様又は第２態様において、前記解析部により得られた前記被検眼が軸性近視であるか否かを示す判定結果に対応した情報を表示手段に表示させる制御部を含む。
【００１１】
いくつかの実施形態の第４態様では、第１態様〜第３態様のいずれかにおいて、前記解析部は、前記標準データに基づいて前記眼の屈折力、前記１以上の眼内距離、及び前記被測定者の情報の少なくとも１つを変数としてあらかじめ求められた第１解析情報を参照することにより、前記軸性近視の進行情報を生成する。
【００１２】
いくつかの実施形態の第５態様は、被検眼の屈折力の測定値を取得する屈折力測定部と、前記被検眼における１以上の眼内距離の測定値を取得する眼内距離測定部と、正常眼である被測定者の眼の屈折力及び前記１以上の眼内距離に前記被測定者の情報が関連付けられた標準データをあらかじめ記憶する記憶部と、前記屈折力測定部により取得された前記屈折力の測定値と、前記眼内距離測定部により取得された前記１以上の眼内距離の測定値と、被検者の情報と、前記標準データとに基づいて前記被検眼の軸性近視の進行情報を生成する解析部と、を含む眼科装置である。
【００１３】
いくつかの実施形態の第６態様では、第１態様〜第５態様のいずれかにおいて、前記解析部は、互いに異なる測定タイミングで前記屈折力測定部により取得された２以上の前記屈折力の測定値と、互いに異なる測定タイミングで前記眼内距離測定部により取得された２以上の前記１以上の眼内距離の測定値と、前記被検者の情報と、前記標準データとに基づいて前記被検眼の軸性近視の進行情報を生成する。
【００１４】
いくつかの実施形態の第７態様は、被検眼の屈折力の測定値を取得する屈折力測定部と、前記被検眼における１以上の眼内距離の測定値を取得する眼内距離測定部と、正常眼である被測定者の眼の屈折力及び前記１以上の眼内距離に前記被測定者の情報が関連付けられた標準データをあらかじめ記憶する記憶部と、互いに異なる測定タイミングで前記屈折力測定部により取得された２以上の前記屈折力の測定値と、互いに異なる測定タイミングで前記眼内距離測定部により取得された２以上の前記１以上の眼内距離の測定値と、被検者の情報と、前記標準データとに基づいて前記被検眼の軸性近視の進行情報を生成する解析部と、を含む眼科装置である。
【００１５】
いくつかの実施形態の第８態様では、第６態様又は第７態様において、前記解析部は、前記標準データに基づいて前記眼の屈折力と当該屈折力の変化、前記１以上の眼内距離と当該１以上の眼内距離の変化、及び前記被測定者の情報の少なくとも１つを変数としてあらかじめ求められた第２解析情報を参照することにより、前記軸性近視の進行情報を生成する。
【００１６】
いくつかの実施形態の第９態様では、第４態様〜第８態様のいずれかにおいて、前記進行情報は、前記屈折力及び前記１以上の眼内距離の少なくとも一方の測定タイミングより後の屈折力及び１以上の眼内距離の少なくとも一方の推定値を含む。
【００１７】
いくつかの実施形態の第１０態様は、第４態様〜第９態様のいずれかにおいて、前記解析部により得られた前記進行情報を表示手段に表示させる制御部を含む。
【００１８】
いくつかの実施形態の第１１態様では、第１態様〜第１０態様のいずれかにおいて、前記被測定者の情報及び前記被検者の情報は、年令と性別を含む。
【００１９】
いくつかの実施形態の第１２態様では、第１態様〜第１１態様のいずれかにおいて、前記被検者の情報は、前記被検者の近親者の眼特性情報を含む。
【００２０】
いくつかの実施形態の第１３態様では、第１態様〜第１２態様のいずれかにおいて、前記１以上の眼内距離は、眼軸長と、脈絡膜厚とを含む。
【００２１】
いくつかの実施形態の第１４態様では、第１３態様において、前記脈絡膜厚は、中心窩における脈絡膜厚、中心窩付近の平均脈絡膜厚、中心窩付近を分割して得られた複数の象限それぞれにおける平均脈絡膜厚、及び黄斑部の周辺における脈絡膜厚の少なくとも１つを含む。
【００２２】
いくつかの実施形態の第１５態様では、第１態様〜第１４態様のいずれかにおいて、前記眼内距離測定部は、光源からの光を参照光と測定光とに分割し、前記測定光を前記被検眼に投射し、前記被検眼からの前記測定光の戻り光と前記参照光との干渉光を検出するＯＣＴ光学系と、前記ＯＣＴ光学系により得られた前記干渉光の検出結果に基づいて前記１以上の眼内距離を求める眼内距離算出部と、を含む。
【００２３】
いくつかの実施形態の第１６態様は、被検眼の屈折力の測定値、前記被検眼における１以上の眼内距離の測定値、及び被検者の情報を取得する取得ステップと、前記取得ステップにおいて取得された前記屈折力の測定値、前記１以上の眼内距離の測定値、及び前記被検者の情報と、正常眼である被測定者の眼の屈折力及び前記１以上の眼内距離に前記被測定者の情報が関連付けられた標準データとに基づいて前記被検眼が軸性近視であるか否かを判定する解析ステップと、をコンピュータに実行させるための眼科情報処理プログラムである。
【００２４】
いくつかの実施形態の第１７態様では、第１６態様において、前記解析ステップは、前記屈折力の測定値、前記１以上の眼内距離の測定値及び前記被検者の情報と前記標準データとを比較することにより前記被検眼が軸性近視であるか否かを判定する。
【００２５】
いくつかの実施形態の第１８態様は、第１６態様又は第１７態様において、前記解析ステップにおいて得られた前記被検眼が軸性近視であるか否かを示す判定結果に対応した情報を表示手段に表示させる制御ステップを含む。
【００２６】
いくつかの実施形態の第１９態様は、被検眼の屈折力の測定値、前記被検眼における１以上の眼内距離の測定値、及び被検者の情報を取得する取得ステップと、前記取得ステップにおいて取得された前記屈折力の測定値と、前記１以上の眼内距離の測定値と、前記被検者の情報と、正常眼である被測定者の眼の屈折力及び前記１以上の眼内距離に前記被測定者の情報が関連付けられた標準データとに基づいて前記被検眼の軸性近視の進行情報を生成する解析ステップと、をコンピュータに実行させるための眼科情報処理プログラムである。
【００２７】
いくつかの実施形態の第２０態様では、第１６態様〜第１９態様のいずれかにおいて、前記解析ステップは、互いに異なる測定タイミングで前記取得ステップにおいて取得された２以上の前記屈折力の測定値、２以上の前記１以上の眼内距離の測定値と、前記被検者の情報と、前記標準データとに基づいて前記被検眼の軸性近視の進行情報を生成する。
【００２８】
いくつかの実施形態の第２１態様は、被検眼の屈折力の測定値、前記被検眼における１以上の眼内距離の測定値、及び被検者の情報を取得する取得ステップと、互いに異なる測定タイミングで前記取得ステップにおいて取得された２以上の前記屈折力の測定値と、２以上の前記１以上の眼内距離の測定値と、被検者の情報と、正常眼である被測定者の眼の屈折力及び前記１以上の眼内距離に前記被測定者の情報が関連付けられた標準データとに基づいて前記被検眼の軸性近視の進行情報を生成する解析ステップと、をコンピュータに実行させるための眼科情報処理プログラムである。
【００２９】
いくつかの実施形態の第２２態様では、第１９態様〜第２１態様のいずれかにおいて、前記進行情報は、前記屈折力及び前記１以上の眼内距離の少なくとも一方の測定タイミングより後の屈折力及び１以上の眼内距離の少なくとも一方の推定値を含む。
【００３０】
いくつかの実施形態の第２３態様は、第１９態様〜第２２態様のいずれかにおいて、前記解析ステップにおいて得られた前記進行情報を表示手段に表示させる制御ステップを含む。
【００３１】
いくつかの実施形態の第２４態様では、第１６態様〜第２３態様のいずれかにおいて、前記被測定者の情報及び前記被検者の情報は、年令と性別とを含む。
【００３２】
いくつかの実施形態の第２５態様では、第１６態様〜第２４態様のいずれかにおいて、前記被検者の情報は、前記被検者の近親者の眼特性情報を含む。
【００３３】
いくつかの実施形態の第２６態様では、第１６態様〜第２５態様のいずれかにおいて、前記１以上の眼内距離は、眼軸長と、脈絡膜厚とを含む。
【００３４】
いくつかの実施形態の第２７態様では、第２６態様において、前記脈絡膜厚は、中心窩における脈絡膜厚、中心窩付近の平均脈絡膜厚、中心窩付近を分割して得られた複数の象限それぞれにおける平均脈絡膜厚、及び黄斑部の周辺における脈絡膜厚の少なくとも１つを含む。
【発明の効果】
【００３５】
本発明によれば、より高い信頼性で軸性近視の進行を予測するための新たな技術を提供することが可能になる。
【図面の簡単な説明】
【００３６】
【図１】実施形態に係る眼科装置の光学系の構成例を示す概略図である。
【図２】実施形態に係る眼科装置の光学系の構成例を示す概略図である。
【図３】実施形態に係る眼科装置の処理系を説明するための概略図である。
【図４】実施形態に係る眼科装置の処理系を説明するための概略図である。
【図５】実施形態に係る眼科装置の動作例のフローを示す概略図である。
【図６】実施形態に係る眼科装置の動作を説明するための概略図である。
【図７】実施形態に係る眼科装置の動作例のフローを示す概略図である。
【図８】実施形態に係る眼科装置の動作を説明するための概略図である。
【図９】実施形態に係る眼科装置の動作を説明するための概略図である。
【発明を実施するための形態】
【００３７】
この発明に係る眼科装置、及び眼科情報処理プログラムの実施形態の例について、図面を参照しながら詳細に説明する。なお、この明細書において引用された文献の記載内容や任意の公知技術を、以下の実施形態に援用することが可能である。
【００３８】
実施形態に係る眼科装置は、眼科情報処理装置の機能を有する。眼科情報処理装置の機能は、眼科情報処理プログラムに従って処理を実行するコンピュータにより実現される。眼科情報処理装置は、プロセッサと、眼科情報処理プログラムがあらかじめ記憶された記憶部とを備え、プロセッサが、記憶部から読み出された眼科情報処理プログラムに従って処理を実行することにより眼科情報処理装置の機能を実現する。
【００３９】
実施形態に係る眼科装置は、屈折力測定（レフ測定）と、光コヒーレンストモグラフィ（Ｏｐｔｉｃａｌ  Ｃｏｈｅｒｅｎｃｅ  Ｔｏｍｏｇｒａｐｈｙ：以下、ＯＣＴ）を用いた計測や撮影とを実行可能である。
【００４０】
以下、実施形態では、ＯＣＴを用いた計測等においてスウェプトソースタイプのＯＣＴの手法を用いる場合について特に詳しく説明するが、他のタイプ（例えば、スペクトラルドメインタイプ）のＯＣＴを用いる眼科装置に対して、実施形態に係る構成を適用することも可能である。
【００４１】
いくつかの実施形態に係る眼科装置は、更に、自覚検査を行うための自覚検査光学系や、その他の他覚測定を行うための他覚測定系を含む。
【００４２】
自覚検査は、被検者からの応答を利用して情報を取得する測定手法である。自覚検査には、遠用検査、近用検査、コントラスト検査、グレア検査等の自覚屈折測定や、視野検査などがある。
【００４３】
他覚測定は、被検者からの応答を参照することなく、主に物理的な手法を用いて被検眼に関する情報を取得する測定手法である。他覚測定には、被検眼の特性を取得するための測定と、被検眼の画像を取得するための撮影とが含まれる。その他の他覚測定には、ケラト測定、眼圧測定、眼底撮影等がある。
【００４４】
以下、眼底共役位置は、アライメントが完了した状態での被検眼の眼底と光学的に略共役な位置であり、被検眼の眼底と光学的に共役な位置又はその近傍を意味するものとする。同様に、瞳孔共役位置は、アライメントが完了した状態での被検眼の瞳孔と光学的に略共役な位置であり、被検眼の瞳孔と光学的に共役な位置又はその近傍を意味するものとする。
【００４５】
実施形態に係る眼科装置は、屈折力測定により得られた測定値と、ＯＣＴ計測の計測結果により得られた１以上の眼内距離と、被検者の情報とに基づいて、被検眼が軸性近視であるか否かを判定する。いくつかの実施形態に係る眼科装置は、標準データと比較することにより被検眼が軸性近視であるか否かを判定する。標準データは、多数の正常眼の測定データに基づいて統計的に導出されたデータである。いくつかの実施形態に係る眼科装置は、屈折力測定により得られた測定値と、ＯＣＴ計測の計測結果により得られた１以上の眼内距離と、被検者の情報とに基づいて、軸性近視の進行情報を生成する。
【００４６】
いくつかの実施形態では、１以上の眼内距離は、眼軸長と、脈絡膜厚とを含む。脈絡膜厚は、中心窩における脈絡膜厚、中心窩付近の平均脈絡膜厚、中心窩付近を分割して得られた複数の象限それぞれにおける平均脈絡膜厚、及び黄斑部の周辺における脈絡膜厚の少なくとも１つを含む。
【００４７】
いくつかの実施形態では、被測定者の情報及び被検者の情報は、年令と性別とを含む。いくつかの実施形態では、被検者の情報は、被検者の近親者の眼特性情報を含む。近親者は、被検者の２親等内の親族である。近親者は、被検者の父又は母であることが望ましい。眼特性情報は、屈折力値を含む。
【００４８】
進行情報には、測定時点における軸性近視の進行度を表す情報や測定時点以降における将来の軸性近視の進行度を表す情報などがある。いくつかの実施形態では、将来の軸性近視の進行度を表す情報は、屈折力値や眼軸長等の所定の眼内パラメータの予測値を含む。
【００４９】
＜光学系の構成＞
図１に、実施形態に係る眼科装置の光学系の構成例を示す。実施形態に係る眼科装置１０００は、被検眼Ｅを観察するための光学系と、被検眼Ｅを検査するための光学系と、これらの光学系の光路を波長分離するダイクロイックミラーとを含む。被検眼Ｅを観察するための光学系として、前眼部観察系５が設けられている。被検眼Ｅを検査するための光学系としてＯＣＴ光学系やレフ測定光学系（屈折力測定光学系）が設けられている。
【００５０】
眼科装置１０００は、Ｚアライメント系１、ＸＹアライメント系２、ケラト測定系３、固視投影系４、前眼部観察系５、レフ測定投射系６、レフ測定受光系７、及びＯＣＴ光学系８を含む。以下では、例えば、前眼部観察系５が９４０ｎｍ〜１０００ｎｍの光を用い、レフ測定光学系（レフ測定投射系６、レフ測定受光系７）が８３０ｎｍ〜８８０ｎｍの光を用い、固視投影系４が４００ｎｍ〜７００ｎｍの光を用い、ＯＣＴ光学系８が１０００ｎｍ〜１１００ｎｍの光を用いるものとする。
【００５１】
（前眼部観察系５）
前眼部観察系５は、被検眼Ｅの前眼部を動画撮影する。前眼部観察系５を経由する光学系において、撮像素子５９の撮像面は瞳孔共役位置に配置されている。前眼部照明光源５０は、被検眼Ｅの前眼部に照明光（例えば、赤外光）を照射する。被検眼Ｅの前眼部により反射された光は、対物レンズ５１を通過し、ダイクロイックミラー５２を透過し、絞り（テレセン絞り）５３に形成された孔部を通過し、ハーフミラー２３を透過し、リレーレンズ５５及び５６を通過し、ダイクロイックミラー７６を透過する。ダイクロイックミラー５２は、レフ測定光学系の光路と前眼部観察系５の光路とを合成（分離）する。ダイクロイックミラー５２は、これらの光路を合成する光路合成面が対物レンズ５１の光軸に対して傾斜して配置される。ダイクロイックミラー７６を透過した光は、結像レンズ５８により撮像素子５９（エリアセンサー）の撮像面に結像される。撮像素子５９は、所定のレートで撮像及び信号出力を行う。撮像素子５９の出力（映像信号）は、後述の処理部９に入力される。処理部９は、この映像信号に基づく前眼部像Ｅ´を後述の表示部１０の表示画面１０ａに表示させる。前眼部像Ｅ´は、例えば赤外動画像である。
【００５２】
（Ｚアライメント系１）
Ｚアライメント系１は、前眼部観察系５の光軸方向（前後方向、Ｚ方向）におけるアライメントを行うための光（赤外光）を被検眼Ｅに投射する。Ｚアライメント光源１１から出力された光は、被検眼Ｅの角膜Ｃｒに投射され、角膜Ｃｒにより反射され、結像レンズ１２によりラインセンサー１３のセンサー面に結像される。角膜頂点の位置が前眼部観察系５の光軸方向に変化すると、ラインセンサー１３のセンサー面における光の投射位置が変化する。処理部９は、ラインセンサー１３のセンサー面における光の投射位置に基づいて被検眼Ｅの角膜頂点の位置を求め、これに基づき光学系を移動させる機構を制御してＺアライメントを実行する。
【００５３】
（ＸＹアライメント系２）
ＸＹアライメント系２は、前眼部観察系５の光軸に直交する方向（左右方向（Ｘ方向）、上下方向（Ｙ方向））のアライメントを行うための光（赤外光）を被検眼Ｅに照射する。ＸＹアライメント系２は、ハーフミラー２３により前眼部観察系５の光路から分岐された光路に設けられたＸＹアライメント光源２１とコリメータレンズ２２とを含む。ＸＹアライメント光源２１から出力された光は、コリメータレンズ２２を通過し、ハーフミラー２３により反射され、前眼部観察系５を通じて被検眼Ｅに投射される。被検眼Ｅの角膜Ｃｒによる反射光は、前眼部観察系５を通じて撮像素子５９に導かれる。
【００５４】
この反射光に基づく像（輝点像）Ｂｒは前眼部像Ｅ´に含まれる。処理部９は、輝点像Ｂｒを含む前眼部像Ｅ´とアライメントマークＡＬとを表示部の表示画面に表示させる。手動でＸＹアライメントを行う場合、ユーザは、アライメントマークＡＬ内に輝点像Ｂｒを誘導するように光学系の移動操作を行う。自動でアライメントを行う場合、処理部９は、アライメントマークＡＬに対する輝点像Ｂｒの変位がキャンセルされるように、光学系を移動させる機構を制御する。
【００５５】
（ケラト測定系３）
ケラト測定系３は、被検眼Ｅの角膜Ｃｒの形状を測定するためのリング状光束（赤外光）を角膜Ｃｒに投射する。ケラト板３１は、対物レンズ５１と被検眼Ｅとの間に配置されている。ケラト板３１の背面側（対物レンズ５１側）にはケラトリング光源３２が設けられている。ケラトリング光源３２からの光でケラト板３１を照明することにより、被検眼Ｅの角膜Ｃｒにリング状光束（円弧状又は円周状の測定パターン）が投射される。被検眼Ｅの角膜Ｃｒからの反射光（ケラトリング像）は撮像素子５９により前眼部像Ｅ´とともに検出される。処理部９は、このケラトリング像を基に公知の演算を行うことで、角膜Ｃｒの形状を表す角膜形状パラメータを算出する。
【００５６】
（レフ測定投射系６、レフ測定受光系７）
レフ測定光学系は、屈折力測定に用いられるレフ測定投射系６及びレフ測定受光系７を含む。レフ測定投射系６は、屈折力測定用の光束（例えば、リング状光束）（赤外光）を眼底Ｅｆに投射する。レフ測定受光系７は、この光束の被検眼Ｅからの戻り光を受光する。レフ測定投射系６は、レフ測定受光系７の光路に設けられた孔開きプリズム６５によって分岐された光路に設けられる。孔開きプリズム６５に形成されている孔部は、瞳孔共役位置に配置される。レフ測定受光系７を経由する光学系において、撮像素子５９の撮像面は眼底共役位置に配置される。
【００５７】
いくつかの実施形態では、レフ測定光源６１は、高輝度光源であるＳＬＤ（Ｓｕｐｅｒｌｕｍｉｎｅｓｃｅｎｔ  Ｄｉｏｄｅ）光源である。レフ測定光源６１は、光軸方向に移動可能である。レフ測定光源６１は、眼底共役位置に配置される。レフ測定光源６１から出力された光は、リレーレンズ６２を通過し、円錐プリズム６３の円錐面に入射する。円錐面に入射した光は偏向され、円錐プリズム６３の底面から出射する。円錐プリズム６３の底面から出射した光は、リング絞り６４にリング状に形成された透光部を通過する。リング絞り６４の透光部を通過した光（リング状光束）は、孔開きプリズム６５の孔部の周囲に形成された反射面により反射され、ロータリープリズム６６を通過し、ダイクロイックミラー６７により反射される。ダイクロイックミラー６７により反射された光は、ダイクロイックミラー５２により反射され、対物レンズ５１を通過し、被検眼Ｅに投射される。ロータリープリズム６６は、眼底Ｅｆの血管や疾患部位に対するリング状光束の光量分布を平均化や光源に起因するスペックルノイズの低減のために用いられる。
【００５８】
眼底Ｅｆに投射されたリング状光束の戻り光は、対物レンズ５１を通過し、ダイクロイックミラー５２及びダイクロイックミラー６７により反射される。ダイクロイックミラー６７により反射された戻り光は、ロータリープリズム６６を通過し、孔開きプリズム６５の孔部を通過し、リレーレンズ７１を通過し、反射ミラー７２により反射され、リレーレンズ７３及び合焦レンズ７４を通過する。合焦レンズ７４は、レフ測定受光系７の光軸に沿って移動可能である。合焦レンズ７４を通過した光は、反射ミラー７５により反射され、ダイクロイックミラー７６により反射され、結像レンズ５８により撮像素子５９の撮像面に結像される。処理部９は撮像素子５９からの出力を基に公知の演算を行うことで被検眼Ｅの屈折力値を算出する。例えば、屈折力値は、球面度数、乱視度数及び乱視軸角度、又は等価球面度数を含む。
【００５９】
（固視投影系４）
ダイクロイックミラー６７によりレフ測定光学系の光路から波長分離された光路に、後述のＯＣＴ光学系８が設けられる。ダイクロイックミラー８３によりＯＣＴ光学系８の光路から分岐された光路に固視投影系４が設けられる。
【００６０】
固視投影系４は、固視標を被検眼Ｅに呈示する。固視投影系４の光路には、固視ユニット４０が配置されている。固視ユニット４０は、後述の処理部９からの制御を受け、固視投影系４の光路に沿って移動可能である。固視ユニット４０は、液晶パネル４１を含む。
【００６１】
処理部９による制御を受けた液晶パネル４１は、固視標を表すパターンを表示する。液晶パネル４１の画面上におけるパターンの表示位置を変更することにより、被検眼Ｅの固視位置を変更できる。被検眼Ｅの固視位置としては、眼底Ｅｆの黄斑部を中心とする画像を取得するための位置や、視神経乳頭を中心とする画像を取得するための位置や、黄斑部と視神経乳頭との間の眼底中心を中心とする画像を取得するための位置などがある。固視標を表すパターンの表示位置を任意に変更することが可能である。
【００６２】
液晶パネル４１からの光は、リレーレンズ４２を通過し、ダイクロイックミラー８３を透過し、リレーレンズ８２を通過し、反射ミラー８１により反射され、ダイクロイックミラー６７を透過し、ダイクロイックミラー５２により反射される。ダイクロイックミラー５２により反射された光は、対物レンズ５１を通過して眼底Ｅｆに投射される。いくつかの実施形態では、液晶パネル４１及びリレーレンズ４２のそれぞれは、独立に光軸方向に移動可能である。
【００６３】
（ＯＣＴ光学系８）
ＯＣＴ光学系８は、ＯＣＴ計測を行うための光学系である。ＯＣＴ計測よりも前に実施されたレフ測定結果に基づいて、光ファイバーｆ１の端面が撮影部位（眼底Ｅｆ又は前眼部）と光学系に共役となるように合焦レンズ８７の位置が調整される。
【００６４】
ＯＣＴ光学系８は、ダイクロイックミラー６７によりレフ測定光学系の光路から波長分離された光路に設けられる。上記の固視投影系４の光路は、ダイクロイックミラー８３によりＯＣＴ光学系８の光路に結合される。それにより、ＯＣＴ光学系８及び固視投影系４のそれぞれの光軸を同軸で結合することができる。
【００６５】
ＯＣＴ光学系８は、ＯＣＴユニット１００を含む。図２に示すように、ＯＣＴユニット１００において、ＯＣＴ光源１０１は、一般的なスウェプトソースタイプのＯＣＴ装置と同様に、出射光の波長を掃引（走査）可能な波長掃引型（波長走査型）光源を含んで構成される。波長掃引型光源は、共振器を含むレーザー光源を含んで構成される。ＯＣＴ光源１０１は、人眼では視認できない近赤外の波長帯において、出力波長を時間的に変化させる。
【００６６】
図２に例示するように、ＯＣＴユニット１００には、スウェプトソースＯＣＴを実行するための光学系が設けられている。この光学系は、干渉光学系を含む。この干渉光学系は、波長可変光源（波長掃引型光源）からの光を測定光と参照光とに分割する機能と、被検眼Ｅからの測定光の戻り光と参照光路を経由した参照光とを重ね合わせて干渉光を生成する機能と、この干渉光を検出する機能とを備える。干渉光学系により得られた干渉光の検出結果（検出信号）は、干渉光のスペクトルを示す信号であり、処理部９に送られる。
【００６７】
ＯＣＴ光源１０１は、例えば、出射光の波長（１０００ｎｍ〜１１００ｎｍの波長範囲）を高速で変化させる近赤外波長可変レーザーを含む。ＯＣＴ光源１０１から出力された光Ｌ０は、光ファイバー１０２により偏波コントローラ１０３に導かれてその偏光状態が調整される。偏光状態が調整された光Ｌ０は、光ファイバー１０４によりファイバーカプラー１０５に導かれて測定光ＬＳと参照光ＬＲとに分割される。
【００６８】
参照光ＬＲは、光ファイバー１１０によりコリメータ１１１に導かれて平行光束に変換され、光路長補正部材１１２及び分散補償部材１１３を経由し、コーナーキューブ１１４に導かれる。光路長補正部材１１２は、参照光ＬＲの光路長と測定光ＬＳの光路長とを合わせるよう作用する。分散補償部材１１３は、参照光ＬＲと測定光ＬＳとの間の分散特性を合わせるよう作用する。コーナーキューブ１１４は、参照光ＬＲの入射方向に移動可能であり、それにより参照光ＬＲの光路長が変更される。
【００６９】
コーナーキューブ１１４を経由した参照光ＬＲは、分散補償部材１１３及び光路長補正部材１１２を経由し、コリメータ１１６によって平行光束から集束光束に変換され、光ファイバー１１７に入射する。光ファイバー１１７に入射した参照光ＬＲは、偏波コントローラ１１８に導かれてその偏光状態が調整され、光ファイバー１１９によりアッテネータ１２０に導かれて光量が調整され、光ファイバー１２１によりファイバーカプラー１２２に導かれる。
【００７０】
一方、ファイバーカプラー１０５により生成された測定光ＬＳは、光ファイバーｆ１により導かれてコリメータレンズユニット８９により平行光束に変換され、光スキャナー８８、合焦レンズ８７、リレーレンズ８５、及び反射ミラー８４を経由し、ダイクロイックミラー８３により反射される。
【００７１】
光スキャナー８８は、測定光ＬＳを１次元的又は２次元的に偏向する。光スキャナー８８は、例えば、第１ガルバノミラーと、第２ガルバノミラーとを含む。第１ガルバノミラーは、ＯＣＴ光学系８の光軸に直交する水平方向に撮影部位（眼底Ｅｆ又は前眼部）をスキャンするように測定光ＬＳを偏向する。第２ガルバノミラーは、ＯＣＴ光学系８の光軸に直交する垂直方向に撮影部位をスキャンするように、第１ガルバノミラーにより偏向された測定光ＬＳを偏向する。このような光スキャナー８８による測定光ＬＳの走査態様としては、例えば、水平スキャン、垂直スキャン、十字スキャン、放射スキャン、円スキャン、同心円スキャン、螺旋スキャンなどがある。
【００７２】
ダイクロイックミラー８３により反射された測定光ＬＳは、リレーレンズ８２を通過し、反射ミラー８１により反射され、ダイクロイックミラー６７を透過し、ダイクロイックミラー５２により反射され、対物レンズ５１により屈折されて被検眼Ｅに入射する。測定光ＬＳは、被検眼Ｅの様々な深さ位置において散乱・反射される。被検眼Ｅからの測定光ＬＳの戻り光は、往路と同じ経路を逆向きに進行してファイバーカプラー１０５に導かれ、光ファイバー１２８を経由してファイバーカプラー１２２に到達する。
【００７３】
ファイバーカプラー１２２は、光ファイバー１２８を介して入射された測定光ＬＳと、光ファイバー１２１を介して入射された参照光ＬＲとを合成して（干渉させて）干渉光を生成する。ファイバーカプラー１２２は、所定の分岐比（例えば１：１）で干渉光を分岐することにより、一対の干渉光ＬＣを生成する。一対の干渉光ＬＣは、それぞれ光ファイバー１２３及び１２４を通じて検出器１２５に導かれる。
【００７４】
検出器１２５は、例えばバランスドフォトダイオードである。バランスドフォトダイオードは、一対の干渉光ＬＣをそれぞれ検出する一対のフォトディテクタを含み、これらフォトディテクタにより得られた一対の検出結果の差分を出力する。検出器１２５は、この出力（検出信号）をＤＡＱ（Ｄａｔａ  Ａｃｑｕｉｓｉｔｉｏｎ  Ｓｙｓｔｅｍ）１３０に送る。
【００７５】
ＤＡＱ１３０には、ＯＣＴ光源１０１からクロックＫＣが供給される。クロックＫＣは、ＯＣＴ光源１０１において、波長可変光源により所定の波長範囲内で掃引される各波長の出力タイミングに同期して生成される。ＯＣＴ光源１０１は、例えば、各出力波長の光Ｌ０を分岐することにより得られた２つの分岐光の一方を光学的に遅延させた後、これらの合成光を検出した結果に基づいてクロックＫＣを生成する。ＤＡＱ１３０は、検出器１２５から入力される検出信号をクロックＫＣに基づきサンプリングする。ＤＡＱ１３０は、検出器１２５からの検出信号のサンプリング結果を処理部９の演算処理部２２０に送られる。演算処理部２２０は、例えば一連の波長走査毎に（Ａライン毎に）、サンプリングデータに基づくスペクトル分布にフーリエ変換等を施すことにより、各Ａラインにおける反射強度プロファイルを形成する。更に、演算処理部２２０は、各Ａラインの反射強度プロファイルを画像化することにより画像データを形成する。
【００７６】
本例では、参照光ＬＲの光路（参照光路、参照アーム）の長さを変更するためのコーナーキューブ１１４が設けられているが、これら以外の光学部材を用いて、測定光路長と参照光路長との差を変更することも可能である。
【００７７】
処理部９は、レフ測定光学系を用いて得られた測定結果から屈折力値を算出し、算出された屈折力値に基づいて、眼底Ｅｆとレフ測定光源６１と撮像素子５９とが共役となる位置に、レフ測定光源６１及び合焦レンズ７４それぞれを光軸方向に移動させる。いくつかの実施形態では、処理部９は、合焦レンズ７４の移動に連動してＯＣＴ光学系８の合焦レンズ８７をその光軸方向に移動させる。いくつかの実施形態では、処理部９は、レフ測定光源６１及び合焦レンズ７４の移動に連動して液晶パネル４１（固視ユニット４０）をその光軸方向に移動させる。
【００７８】
＜処理系の構成＞
眼科装置１０００の処理系の構成について説明する。眼科装置１０００の処理系の機能的構成の例を図３及び図４に示す。図３は、眼科装置１０００の処理系の機能ブロック図の一例を表す。図４は、データ処理部２２３の機能ブロック図の一例を表す。
【００７９】
処理部９は、眼科装置１０００の各部を制御する。また、処理部９は、各種演算処理を実行可能である。処理部９は、プロセッサを含む。プロセッサの機能は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路により実現される。処理部９は、例えば、記憶回路や記憶装置に格納されているプログラムを読み出し実行することで、実施形態に係る機能を実現する。
【００８０】
処理部９は、実施形態に係る「眼科情報処理装置」の一例である。すなわち、処理部９の機能を実現するためのプログラムは、実施形態に係る「眼科情報処理プログラム」の一例である。
【００８１】
処理部９は、制御部２１０と、演算処理部２２０とを含む。また、眼科装置１０００は、移動機構２００と、表示部２７０と、操作部２８０と、通信部２９０とを含む。
【００８２】
移動機構２００は、Ｚアライメント系１、ＸＹアライメント系２、ケラト測定系３、固視投影系４、前眼部観察系５、レフ測定投射系６、レフ測定受光系７及びＯＣＴ光学系８等の光学系が収納されたヘッド部を前後左右方向に移動させるための機構である。例えば、移動機構２００には、ヘッド部を移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。制御部２１０（主制御部２１１）は、アクチュエータに対して制御信号を送ることにより移動機構２００に対する制御を行う。
【００８３】
（制御部２１０）
制御部２１０は、プロセッサを含み、眼科装置の各部を制御する。制御部２１０は、主制御部２１１と、記憶部２１２とを含む。記憶部２１２には、眼科装置を制御するためのコンピュータプログラムがあらかじめ格納される。コンピュータプログラムには、光源制御用プログラム、検出器制御用プログラム、光スキャナー制御用プログラム、光学系制御用プログラム、演算処理用プログラム及びユーザインターフェイス用プログラムなどが含まれる。このようなコンピュータプログラムに従って主制御部２１１が動作することにより、制御部２１０は制御処理を実行する。
【００８４】
主制御部２１１は、測定制御部として眼科装置の各種制御を行う。Ｚアライメント系１に対する制御には、Ｚアライメント光源１１の制御、ラインセンサー１３の制御などがある。Ｚアライメント光源１１の制御には、光源の点灯、消灯、光量調整、絞り調整などがある。ラインセンサー１３の制御には、検出素子の露光調整やゲイン調整や検出レート調整などがある。それにより、Ｚアライメント光源１１の点灯と非点灯とが切り替えられたり、光量が変更されたりする。主制御部２１１は、ラインセンサー１３により検出された信号を取り込み、取り込まれた信号に基づいてラインセンサー１３に対する光の投影位置を特定する。主制御部２１１は、特定された投影位置に基づいて被検眼Ｅの角膜頂点の位置を求め、これに基づき移動機構２００を制御してヘッド部を前後方向に移動させる（Ｚアライメント）。
【００８５】
ＸＹアライメント系２に対する制御には、ＸＹアライメント光源２１の制御などがある。ＸＹアライメント光源２１の制御には、光源の点灯、消灯、光量調整、絞り調整などがある。それにより、ＸＹアライメント光源２１の点灯と非点灯とが切り替えられたり、光量が変更されたりする。主制御部２１１は、撮像素子５９により検出された信号を取り込み、取り込まれた信号に基づいてＸＹアライメント光源２１からの光の戻り光に基づく輝点像の位置を特定する。主制御部２１１は、所定の目標位置（例えば、アライメントマークＡＬの中心位置）に対する輝点像Ｂｒの位置との変位がキャンセルされるように移動機構２００を制御してヘッド部を左右上下方向に移動させる（ＸＹアライメント）。
【００８６】
ケラト測定系３に対する制御には、ケラトリング光源３２の制御などがある。ケラトリング光源３２の制御には、光源の点灯、消灯、光量調整、絞り調整などがある。それにより、ケラトリング光源３２の点灯と非点灯とが切り替えられたり、光量が変更されたりする。主制御部２１１は、撮像素子５９により検出されたケラトリング像に対する公知の演算を演算処理部２２０に実行させる。それにより、被検眼Ｅの角膜形状パラメータが求められる。
【００８７】
固視投影系４に対する制御には、液晶パネル４１の制御や固視ユニット４０の移動制御などがある。液晶パネル４１の制御には、固視標の表示のオン・オフや、固視標の表示位置の切り替えなどがある。
【００８８】
例えば、固視投影系４には、液晶パネル４１（又は固視ユニット４０）を光軸方向に移動する移動機構が設けられる。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、少なくとも液晶パネル４１を光軸方向に移動させる。それにより、液晶パネル４１と眼底Ｅｆとが光学的に共役となるように液晶パネル４１の位置が調整される。
【００８９】
前眼部観察系５に対する制御には、前眼部照明光源５０の制御、撮像素子５９の制御などがある。前眼部照明光源５０の制御には、光源の点灯、消灯、光量調整、絞り調整などがある。それにより、前眼部照明光源５０の点灯と非点灯とが切り替えられたり、光量が変更されたりする。撮像素子５９の制御には、撮像素子５９の露光調整やゲイン調整や検出レート調整などがある。主制御部２１１は、撮像素子５９により検出された信号を取り込み、取り込まれた信号に基づく画像の形成等の処理を演算処理部２２０に実行させる。
【００９０】
レフ測定投射系６に対する制御には、レフ測定光源６１の制御、ロータリープリズム６６の制御などがある。レフ測定光源６１の制御には、光源の点灯、消灯、光量調整、絞り調整などがある。それにより、レフ測定光源６１の点灯と非点灯とが切り替えられたり、光量が変更されたりする。例えば、レフ測定投射系６は、レフ測定光源６１を光軸方向に移動する移動機構を含む。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、レフ測定光源６１を光軸方向に移動させる。ロータリープリズム６６の制御には、ロータリープリズム６６の回転制御などがある。例えば、ロータリープリズム６６を回転させる回転機構が設けられており、主制御部２１１は、この回転機構を制御することによりロータリープリズム６６を回転させる。
【００９１】
レフ測定受光系７に対する制御には、合焦レンズ７４の制御などがある。合焦レンズ７４の制御には、合焦レンズ７４の光軸方向への移動制御などがある。例えば、レフ測定受光系７は、合焦レンズ７４を光軸方向に移動する移動機構を含む。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、合焦レンズ７４を光軸方向に移動させる。主制御部２１１は、レフ測定光源６１と眼底Ｅｆと撮像素子５９とが光学的に共役となるように、例えば被検眼Ｅの屈折力に応じてレフ測定光源６１及び合焦レンズ７４をそれぞれ光軸方向に移動させることが可能である。
【００９２】
ＯＣＴ光学系８に対する制御には、ＯＣＴ光源１０１の制御、光スキャナー８８の制御、合焦レンズ８７の制御、コーナーキューブ１１４の制御、検出器１２５の制御、ＤＡＱ１３０の制御などがある。ＯＣＴ光源１０１の制御には、光源の点灯、消灯、光量調整、絞り調整などがある。光スキャナー８８の制御には、第１ガルバノミラーによる走査位置や走査範囲や走査速度の制御、第２ガルバノミラーによる走査位置や走査範囲や走査速度の制御などがある。
【００９３】
合焦レンズ８７の制御には、合焦レンズ８７の光軸方向への移動制御、撮影部位に対応した合焦基準位置への合焦レンズ８７の移動制御、撮影部位に対応した移動範囲（合焦範囲）内での移動制御などがある。例えば、ＯＣＴ光学系８は、合焦レンズ８７を光軸方向に移動する移動機構を含む。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、合焦レンズ８７を光軸方向に移動させる。いくつかの実施形態では、眼科装置には、合焦レンズ７４及び８７を保持する保持部材と、保持部材を駆動する駆動部が設けられる。主制御部２１１は、駆動部を制御することにより合焦レンズ７４及び８７の移動制御を行う。主制御部２１１は、例えば、合焦レンズ７４の移動に連動して合焦レンズ８７を移動させた後、干渉信号の強度に基づいて合焦レンズ８７だけを移動させるようにしてもよい。
【００９４】
コーナーキューブ１１４の制御には、コーナーキューブ１１４の光路に沿った移動制御などがある。例えば、ＯＣＴ光学系８は、コーナーキューブ１１４を光路に沿った方向に移動する移動機構を含む。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、コーナーキューブ１１４を光路に沿った方向に移動させる。検出器１２５の制御には、検出素子の露光調整やゲイン調整や検出レート調整などがある。主制御部２１１は、検出器１２５により検出された信号をＤＡＱ１３０によりサンプリングし、サンプリングされた信号に基づく画像の形成等の処理を演算処理部２２０（画像形成部２２２）に実行させる。
【００９５】
また、主制御部２１１は、表示制御部として、後述のデータ処理部２２３の処理結果に対応した情報を表示部２７０に表示させる。データ処理部２２３の処理結果として、眼内距離算出部２３１により算出された眼内距離、判定部２３２による判定結果、近視進行推定部２３３により得られた軸性近視の進行情報などがある。
【００９６】
更に、主制御部２１１は、記憶部２１２にデータを書き込む処理や、記憶部２１２からデータを読み出す処理を行う。
【００９７】
（記憶部２１２）
記憶部２１２は、各種のデータを記憶する。記憶部２１２に記憶されるデータとしては、例えば他覚測定の測定結果、ＯＣＴ計測の計測結果、断層像の画像データ、眼底像の画像データ、被検眼情報、被検者情報、標準データなどがある。被検眼情報は、左眼／右眼の識別情報などの被検眼に関する情報を含む。被検者情報は、患者ＩＤ、氏名、被検者の年令、性別、身長、体重などの被検者に関する情報を含む。いくつかの実施形態では、被検者情報は、電子カルテから取得される情報である。いくつかの実施形態では、被検眼情報や被検者情報は、操作部２８０を用いて検者又は被検者により入力される情報である。標準データは、多数の正常眼の測定データと当該測定データの被測定者の情報から統計的に導出され、正常眼データ（ノーマティブデータ）などと呼ばれる。いくつかの実施形態では、標準データは、多数の正常眼の測定データを当該測定データの被測定者の情報に対応づけたデータ群である。被測定者の情報は、被測定者の年令と性別とを含む。いくつかの実施形態に係る被測定者の情報は、例えば、年令、性別、身長、体重を含む。いくつかの実施形態では、被測定者の情報は、被検者情報と同様の項目の情報を含む。また、記憶部２１２には、眼科装置を動作させるための各種プログラムやデータが記憶されている。
【００９８】
（演算処理部２２０）
演算処理部２２０は、眼屈折力算出部２２１と、画像形成部２２２と、データ処理部２２３とを含む。
【００９９】
（眼屈折力算出部２２１）
眼屈折力算出部２２１は、レフ測定投射系６により眼底Ｅｆに投影されたリング状光束（リング状の測定パターン）の戻り光を撮像素子５９が受光することにより得られたリング像（パターン像）を解析する。例えば、眼屈折力算出部２２１は、得られたリング像が描出された画像における輝度分布からリング像の重心位置を求め、この重心位置から放射状に延びる複数の走査方向に沿った輝度分布を求め、この輝度分布からリング像を特定する。続いて、眼屈折力算出部２２１は、特定されたリング像の近似楕円を求め、この近似楕円の長径及び短径を公知の式に代入することによって球面度数、乱視度数及び乱視軸角度（屈折力値）を求める。或いは、眼屈折力算出部２２１は、基準パターンに対するリング像の変形及び変位に基づいて眼屈折力のパラメータを求めることができる。
【０１００】
また、眼屈折力算出部２２１は、前眼部観察系５により取得されたケラトリング像に基づいて、角膜屈折力、角膜乱視度及び角膜乱視軸角度を算出する。例えば、眼屈折力算出部２２１は、ケラトリング像を解析することにより角膜前面の強主経線や弱主経線の角膜曲率半径を算出し、角膜曲率半径に基づいて上記パラメータを算出する。
【０１０１】
（画像形成部２２２）
画像形成部２２２は、検出器１１５により検出された信号に基づいて、眼底Ｅｆの断層像の画像データを形成する。すなわち、画像形成部２２２は、干渉光学系による干渉光ＬＣの検出結果に基づいて被検眼Ｅの画像データを形成する。この処理には、従来のスペクトラルドメインタイプのＯＣＴと同様に、フィルター処理、ＦＦＴ（Ｆａｓｔ  Ｆｏｕｒｉｅｒ  Ｔｒａｎｓｆｏｒｍ）などの処理が含まれている。このようにして取得される画像データは、複数のＡライン（被検眼Ｅ内における各測定光ＬＳの経路）における反射強度プロファイルを画像化することにより形成された一群の画像データを含むデータセットである。
【０１０２】
画質を向上させるために、同じパターンでのスキャンを複数回繰り返して収集された複数のデータセットを重ね合わせる（加算平均する）ことができる。
【０１０３】
（データ処理部２２３）
データ処理部２２３は、画像形成部２２２により形成された断層像に対して各種のデータ処理（画像処理）や解析処理を施す。例えば、データ処理部２２３は、画像の輝度補正や分散補正等の補正処理を実行する。また、データ処理部２２３は、前眼部観察系５を用い得られた画像（前眼部像等）に対して各種の画像処理や解析処理を施す。
【０１０４】
データ処理部２２３は、断層像の間の画素を補間する補間処理などの公知の画像処理を実行することにより、被検眼Ｅのボリュームデータ（ボクセルデータ）を形成することができる。ボリュームデータに基づく画像を表示させる場合、データ処理部２２３は、このボリュームデータに対してレンダリング処理を施して、特定の視線方向から見たときの擬似的な３次元画像を形成する。
【０１０５】
データ処理部２２３は、眼内距離算出部２３１と、判定部２３２と、近視進行推定部２３３とを含む。近視進行推定部２３３は、多変量解析部２３３Ａと、進行情報生成部２３３Ｂとを含む。
【０１０６】
（眼内距離算出部２３１）
眼内距離算出部２３１は、ＯＣＴ光学系８により得られた干渉光ＬＣの検出結果に基づいて被検眼Ｅにおける１以上の眼内距離を求める。例えば、眼内距離算出部２３１は、ＯＣＴ光学系８により得られた干渉光ＬＣの検出結果を解析することにより眼内の所定部位に相当する干渉光の検出結果（干渉信号）のピーク位置を特定し、特定されたピーク位置間の距離に基づいて上記の眼内距離を求める。眼内距離算出部２３１は、少なくとも眼軸長及び脈絡膜厚を求めることが可能である。いくつかの実施形態に係る眼内距離算出部２３１は、眼軸長、角膜厚、前房深度、水晶体厚、硝子体腔長、網膜厚、脈絡膜厚などを求める。
【０１０７】
脈絡膜厚は、中心窩における脈絡膜厚、中心窩付近の平均脈絡膜厚、中心窩付近を分割して得られた複数の象限それぞれにおける平均脈絡膜厚、及び黄斑部の周辺における脈絡膜厚の少なくとも１つを含む。中心窩付近の平均脈絡膜厚は、例えば、中心窩を中心とするφ２程度の範囲内の２以上の位置における平均脈絡膜厚である。中心窩付近を分割して得られた複数の象限それぞれにおける平均脈絡膜厚は、例えば、中心窩付近を４象限に分割し、各象限における２以上の位置における平均脈絡膜厚である。黄斑部の周辺における脈絡膜厚は、例えば、赤道付近の脈絡膜厚である。
【０１０８】
（判定部２３２）
判定部２３２は、眼屈折力算出部２２１により求められた屈折力値（屈折力の測定値）と、眼内距離算出部２３１により求められた１以上の眼内距離と、被検者の情報と、標準データとに基づいて被検眼Ｅが軸性近視であるか否かを判定する。例えば、判定部２３２は、被検者の情報に基づいて統計的に妥当なデータを標準データの中から抽出し、抽出されたデータに対して、屈折力値と１以上の眼内距離とに基づいて被検眼Ｅが軸性近視であるか否かを判定する。いくつかの実施形態に係る被検者の情報は、被検者の年令、性別、身長、体重、被検者の近親者の眼特性情報を含む。近親者は、被検者の２親等内の親族である。近親者は、被検者の父又は母であることが望ましい。眼特性情報は、屈折力値（球面度数、乱視度数及び乱視軸角度、又は等価球面度数）を含む。例えば、両親が近視である被検者と比較して、両親の一方だけが近視である被検者の近視抑制の効果が得られる可能性が高いことを判定結果に反映させることが可能である。いくつかの実施形態では、眼特性情報は、更に、眼軸長及び脈絡膜厚の少なくとも１つを含む。いくつかの実施形態では、被検者の情報が、屈折力値や眼内距離と同様に後述の関数のパラメータとして用いられる。
【０１０９】
いくつかの実施形態に係る被検者の情報は、更に、被検者の生活習慣に関する情報を含む。生活習慣に関する情報には、テレビの視聴状況（視聴時間帯、視聴時間）、パーソナルコンピュータや携帯機器の使用状況（使用時間帯、使用時間）、外出活動状況（活動時間帯、活動時間）などがある。以下、被検者の情報は、主として、年令と性別である場合について説明する。
【０１１０】
いくつかの実施形態に係る判定部２３２は、屈折力値、１以上の眼内距離及び被検者の情報と、標準データとを比較することにより被検眼Ｅが軸性近視であるか否かを判定する。この場合、判定部２３２は、得られた屈折力値と１以上の眼内距離と被検者の情報と、正常眼における屈折力値、１以上の眼内距離、及び被測定者の情報を含む標準データとを比較することにより、被検眼Ｅが軸性近視であるか否かを判定することが可能である。
【０１１１】
例えば、判定部２３２は、被検者の情報に対応して標準データから抽出された正常眼の屈折力値及び１以上の眼内距離と、測定により得られた屈折力値及び計測により得られた１以上の眼内距離とを比較し、得られた複数の差分に基づいて被検眼Ｅが軸性近視であるか否かを判定する。判定部２３２は、得られた複数の差分のうち所定の１以上の差分と閾値との比較結果、複数の差分のうち所定の差分の絶対値、又は複数の差分のうち閾値以上若しくは閾値以下となる差分の個数に基づいて被検眼Ｅが軸性近視であるか否かを判定することが可能である。
【０１１２】
いくつかの実施形態に係る判定部２３２は、標準データを多変量解析することにより得られた１以上の相関関数ｆ（ｘ１,ｘ２,・・・,ｘｎ）（ｘ１〜ｘｎは、屈折力値、１以上の眼内距離、被検者の情報の少なくとも１つ）に基づいて被検眼Ｅが軸性近視であるか否かを判定する。実施形態に係る相関関数には、重回帰分析により得られた式で表される関数や、判別解析により得られた式で表される関数などがある。
【０１１３】
例えば、判定部２３２は、多変量解析することにより得られた眼軸長の推定値を表す相関関数Ｆ（ｘ１,ｘ２,・・・,ｘｎ）（ｘ１〜ｘｎは、屈折力値、眼軸長以外の１以上の眼内距離、被検者の情報のうち少なくとも１つ）に対して、被検者の年令等を代入して得られた眼軸長の推定値に基づいて、被検眼Ｅが軸性近視であるか否かを判定する。
【０１１４】
例えば、判定部２３２は、相関関数Ｆと同様に脈絡膜厚の推定値を表す相関関数Ｇ（ｘ１,ｘ２,・・・,ｘｎ）（ｘ１〜ｘｎは、屈折力値、脈絡膜厚以外の１以上の眼内距離、被検者の情報のうち少なくとも１つ）に対して被検者の年令等を代入して得られた脈絡膜厚の推定値と、相関関数Ｆを用いた眼軸長の推定値とに基づいて、被検眼Ｅが軸性近視であるか否かを判定する。
【０１１５】
判定部２３２は、眼軸長以外の眼内距離（例えば、角膜厚、前房深度、水晶体厚、硝子体腔長、網膜厚など）についても、眼軸長と同様の１以上の相関関数から得られた１以上の推定値に基づいて被検眼Ｅが軸性近視であるか否かを判定することが可能である。
【０１１６】
いくつかの実施形態に係る判定部２３２は、標準データを多変量解析することにより得られた評価関数Ｈ（ｘ１,ｘ２,・・・,ｘｎ）（ｘ１〜ｘｎは、屈折力値、１以上の眼内距離、被検者の情報のうち少なくとも１つ）に基づいて被検眼Ｅが軸性近視であるか否かを判定する。例えば、判定部２３２は、評価関数Ｈに対して被検者の年令等を代入して得られた評価値に基づいて、被検眼Ｅが軸性近視であるか否かを判定する。
【０１１７】
いくつかの実施形態に係る判定部２３２は、上記の標準データと、過去に軸性近視であると診断された眼の測定データと被測定者の情報とを用いた機械学習により生成された学習済みモデルに対して被検者の年令等を代入して得られた出力値に基づいて、被検眼Ｅが軸性近視であるか否かを判定する。
【０１１８】
いくつかの実施形態に係る判定部２３２は、上記の標準データと、過去に軸性近視であると診断された眼の測定データと被測定者の情報とを用いたクラスタ解析結果に基づいて、今回の測定により得られた屈折力値、１以上の眼内距離、被検者の情報のうち少なくとも１つがいずれかのデータ群に属するかを判別することで、被検眼Ｅが軸性近視であるか否かを判定する。
【０１１９】
実施形態に係る判定部２３２による判定結果は、被検眼Ｅが軸性近視であるか否かを示す情報を含む。いくつかの実施形態に係る判定部２３２は、被検眼Ｅが軸性近視であるか否かを示す情報だけではなく、軸性近視であると判定するための判定基準に対してどの程度近いかを示す情報を出力する。この場合、判定部２３２は、得られた推定値や出力値と判定基準に対応した基準値との差分を求め、当該差分に応じて判定基準に対してどの程度近いかを示す情報を生成することが可能である。
【０１２０】
（近視進行推定部２３３）
近視進行推定部２３３は、眼屈折力算出部２２１により求められた屈折力値（屈折力の測定値）と、眼内距離算出部２３１により求められた１以上の眼内距離と、被検者の情報と、標準データとに基づいて被検眼Ｅの軸性近視の進行情報を生成する。いくつかの実施形態に係る進行情報は、測定時点において軸性近視がどの程度まで進行しているかを表す情報である。いくつかの実施形態に係る進行情報は、測定時点以降の所定の時点においてどの程度まで軸性近視が進行するかを表す情報である。いくつかの実施形態に係る進行情報は、測定時点以降の所定の時点における屈折力値や眼軸長等の眼内パラメータの推定値を含む。すなわち、いくつかの実施形態に係る軸性近視の進行情報は、屈折力値及び１以上の眼内距離の少なくとも一方の測定タイミングより後の屈折力値及び１以上の眼内距離の少なくとも一方の推定値を含む。
【０１２１】
（多変量解析部２３３Ａ）
多変量解析部２３３Ａは、標準データを多変量解析することにより眼軸長の推定値を表す相関関数Ｊ（ｘ１,ｘ２,・・・,ｘｎ）を取得する。式（１）に示す相関関数Ｊにおいて、ｘ１〜ｘｎは屈折力値、眼軸長以外の１以上の眼内距離、被検者の情報のうち少なくとも１つであり、ａ０は定数であり、ａ１〜ａｎは係数である。
【０１２２】
Ｊ（ｘ１,ｘ２,・・・,ｘｎ）＝ａ０＋ａ１ｘ１＋ａ２ｘ２＋・・・＋ａｎｘｎ
・・・（１）
【０１２３】
例えば、多変量解析部２３３Ａは、式（１）に示す相関関数Ｊに対して、被検眼Ｅの屈折力値、眼軸長以外の１以上の眼内距離、及び被検者の情報（被検者の所望の年令を含む）を入力することにより将来の被検眼Ｅの眼軸長の推定値を取得する。多変量解析部２３３Ａは、取得された眼軸長の推定値に基づいて、被検眼Ｅの将来の軸性近視の進行度を推定することが可能である。
【０１２４】
また、多変量解析部２３３Ａは、標準データを多変量解析することにより屈折力値の推定値を表す相関関数Ｋ（ｘ１,ｘ２,・・・,ｘｎ）を取得する。式（２）に示す相関関数Ｋにおいて、ｘ１〜ｘｎは、１以上の眼内距離、被検者の情報のうち少なくとも１つであり、ｂ０は定数であり、ｂ１〜ｂｎは係数である。
【０１２５】
Ｋ（ｘ１,ｘ２,・・・,ｘｎ）＝ｂ０＋ｂ１ｘ１＋ｂ２ｘ２＋・・・＋ｂｎｘｎ
・・・（２）
【０１２６】
例えば、多変量解析部２３３Ａは、式（２）に示す相関関数Ｋに対して、被検眼Ｅにおける１以上の眼内距離、被検者の情報（被検者の所望の年令を含む）を入力することにより将来の被検眼Ｅの屈折力値の推定値を取得する。多変量解析部２３３Ａは、取得された屈折力値の推定値に基づいて、被検眼Ｅの将来の軸性近視の進行度を推定することが可能である。
【０１２７】
いくつかの実施形態に係る多変量解析部２３３Ａは、標準データを多変量解析することにより眼軸長の推定値を表す相関関数Ｊ１（ｘ１,ｘ２,・・・,ｘｎ）を取得する。式（３）に示す相関関数Ｊ１において、ｘ１〜ｘｎは互いに異なる測定タイミングで得られた２以上の屈折力値と、互いに異なる測定タイミングで得られた眼軸長以外の２以上の上記１以上の眼内距離と、被検者の情報のうち少なくとも１つであり、ｃ０は定数であり、ｃ１〜ｃｎは係数である。
【０１２８】
Ｊ１（ｘ１,ｘ２,・・・,ｘｎ）＝ｃ０＋ｃ１ｘ１＋ｃ２ｘ２＋・・・＋ｃｎｘｎ
・・・（３）
【０１２９】
例えば、多変量解析部２３３Ａは、式（３）に示す相関関数Ｊ１から将来の被検眼Ｅの眼軸長の推定値を取得する。それにより、屈折力値の変化と、眼軸長の変化と、被検者の情報とに基づいて、所望の年令における被検眼Ｅの眼軸長の推定値を取得することができる。この場合、式（１）に示す相関関数Ｊを用いる場合より、信頼性の高い眼軸長の推定値を取得することが可能である。
【０１３０】
いくつかの実施形態に係る多変量解析部２３３Ａは、標準データを多変量解析することにより屈折力値の推定値を表す相関関数Ｋ１（ｘ１,ｘ２,・・・,ｘｎ）を取得する。式（４）に示す相関関数Ｋ１において、ｘ１〜ｘｎは互いに異なる測定タイミングで得られた２以上の屈折力値、互いに異なる測定タイミングで得られた２以上の上記１以上の眼内距離の測定値と、被検者の情報のうち少なくとも１つであり、ｄ０は定数であり、ｄ１〜ｄｎは係数である。
【０１３１】
Ｋ１（ｘ１,ｘ２,・・・,ｘｎ）＝ｄ０＋ｄ１ｘ１＋ｄ２ｘ２＋・・・＋ｄｎｘｎ
・・・（４）
【０１３２】
例えば、多変量解析部２３３Ａは、相関関数Ｋ１から将来の被検眼Ｅの屈折力値の推定値を取得する。それにより、屈折力値の変化と、眼軸長の変化と、被検者の情報とに基づいて、所望の年令における被検眼Ｅの屈折力値の推定値を取得することができる。この場合、式（２）に示す相関関数Ｋを用いる場合より、信頼性の高い屈折力値の推定値を取得することが可能である。
【０１３３】
なお、相関関数Ｊ、Ｋ、Ｊ１、Ｋ１は、式（１）〜式（４）に示す形式に限定されるものではなく、任意の関数であってよい。
【０１３４】
（進行情報生成部２３３Ｂ）
進行情報生成部２３３Ｂは、多変量解析部２３３Ａによる多変量解析結果から被検者の情報等に対応した解析情報を抽出し、抽出された解析情報に基づいて進行情報を生成する。進行情報生成部２３３Ｂは、例えば、年令を横軸とし、軸性近視の進行を表すパラメータを縦軸とする進行情報を生成する。
【０１３５】
例えば、進行情報生成部２３３Ｂは、上記の相関関数Ｊ又は相関関数Ｊ１を用いて得られた関数値に基づいて被検者の所望の年令における眼軸長の推定値を含む進行情報を生成する。例えば、進行情報生成部２３３Ｂは、上記の相関関数Ｋ又は相関関数Ｋ１を用いて得られた関数値に基づいて被検者の所望の年令における屈折力値の推定値を含む進行情報を生成する。いくつかの実施形態に係る進行情報生成部２３３Ｂは、所望の年令以降について複数の眼軸長の推定値又は複数の屈折力値の推定値を含む進行情報を生成する。
【０１３６】
（表示部２７０、操作部２８０）
表示部２７０は、ユーザインターフェイス部として、制御部２１０による制御を受けて情報を表示する。表示部２７０は、図１などに示す表示部１０を含む。
【０１３７】
操作部２８０は、ユーザインターフェイス部として、眼科装置を操作するために使用される。操作部２８０は、眼科装置に設けられた各種のハードウェアキー（ジョイスティック、ボタン、スイッチなど）を含む。また、操作部２８０は、タッチパネル式の表示画面１０ａに表示される各種のソフトウェアキー（ボタン、アイコン、メニューなど）を含んでもよい。
【０１３８】
表示部２７０及び操作部２８０の少なくとも一部が一体的に構成されていてもよい。その典型例として、タッチパネル式の表示画面１０ａがある。
【０１３９】
（通信部２９０）
通信部２９０は、図示しない外部装置と通信するための機能を有する。通信部２９０は、外部装置との接続形態に応じた通信インターフェイスを備える。外部装置の例として、レンズの光学特性を測定するための眼鏡レンズ測定装置がある。眼鏡レンズ測定装置は、被検者が装用する眼鏡レンズの度数などを測定し、この測定データを眼科装置１０００に入力する。また、外部装置は、任意の眼科装置、記録媒体から情報を読み取る装置（リーダ）や、記録媒体に情報を書き込む装置（ライタ）などでもよい。更に、外部装置は、病院情報システム（ＨＩＳ）サーバ、ＤＩＣＯＭ（Ｄｉｇｉｔａｌ  Ｉｍａｇｉｎｇ  ａｎｄ  ＣＯｍｍｕｎｉｃａｔｉｏｎ  ｉｎ  Ｍｅｄｉｃｉｎｅ）サーバ、医師端末、モバイル端末、個人端末、クラウドサーバなどでもよい。通信部２９０は、例えば処理部９に設けられていてもよい。
【０１４０】
レフ測定光学系（レフ測定投射系６及びレフ測定受光系７）及び眼屈折力算出部２２１は、実施形態に係る「屈折力測定部」の一例である。ＯＣＴ光学系８及び眼内距離算出部２３１は、実施形態に係る「眼内距離測定部」の一例である。データ処理部２２３は、実施形態に係る「解析部」の一例である。相関関数Ｊ、Ｋは、標準データに基づいて眼の屈折力、１以上の眼内距離、及び被測定者の情報の少なくとも１つを変数としてあらかじめ求められた「第１解析情報」の一例である。相関関数Ｊ１、Ｋ１は、標準データに基づいて眼の屈折力と当該屈折力の変化、１以上の眼内距離と当該１以上の眼内距離の変化、及び被測定者の情報の少なくとも１つを変数としてあらかじめ求められた「第２解析情報」の一例である。
【０１４１】
＜動作例＞
実施形態に係る眼科装置１０００の動作について説明する。
【０１４２】
図５に、眼科装置１０００の動作の一例を示す。図５は、眼科装置１０００の動作例のフロー図を表す。記憶部２１２には、図５に示す処理を実現するためのコンピュータプログラムが記憶されている。主制御部２１１は、このコンピュータプログラムに従って動作することにより、図５に示す処理を実行する。ここでは、被検者の情報が記憶部２１２にあらかじめ保存されているものとする。
【０１４３】
（Ｓ１：アライメント）
図示しない顔受け部に被検者の顔が固定された状態で、検者が操作部２８０に対して所定の操作を行うことで、眼科装置１０００は、アライメントを実行する。
【０１４４】
具体的には、主制御部２１１は、Ｚアライメント光源１１やＸＹアライメント光源２１を点灯させる。また、主制御部２１１は、前眼部照明光源５０を点灯させる。処理部９は、撮像素子５９の撮像面上の前眼部像の撮像信号を取得し、表示部２７０に前眼部像を表示させる。その後、図１に示す光学系が被検眼Ｅの検査位置に移動される。検査位置とは、被検眼Ｅの検査を十分な精度内で行うことが可能な位置である。前述のアライメント（Ｚアライメント系１及びＸＹアライメント系２と前眼部観察系５とによるアライメント）を介して被検眼Ｅが検査位置に配置される。光学系の移動は、ユーザによる操作若しくは指示又は制御部２１０による指示にしたがって、制御部２１０によって実行される。すなわち、被検眼Ｅの検査位置への光学系の移動と、他覚測定を行うための準備とが行われる。
【０１４５】
また、主制御部２１１は、レフ測定光源６１と、合焦レンズ７４と、固視ユニット４０（液晶パネル４１）をそれぞれの光軸に沿って原点の位置（例えば、０Ｄに相当する位置）に移動させる。
【０１４６】
なお、ステップＳ１におけるアライメントが完了した後に、ケラト測定が実行されてもよい。この場合、主制御部２１１は、所望の固視位置に対応した表示位置に固視標を示すパターンを液晶パネル４１に表示させる。それにより、所望の固視位置に被検眼Ｅを注視させる。その後、主制御部２１１は、ケラトリング光源３２を点灯させる。ケラトリング光源３２から光が出力されると、被検眼Ｅの角膜Ｃｒに角膜形状測定用のリング状光束が投射される。眼屈折力算出部２２１は、撮像素子５９によって取得された像に対して演算処理を施すことにより、角膜曲率半径を算出し、算出された角膜曲率半径から角膜屈折力、角膜乱視度及び角膜乱視軸角度を算出する。制御部２１０では、算出された角膜屈折力などが記憶部２１２に記憶される。
【０１４７】
主制御部２１１からの指示、又は操作部２８０に対するユーザの操作若しくは指示により、眼科装置１０００の動作はステップＳ２に移行する。
【０１４８】
（Ｓ２：屈折力測定）
屈折力測定では、主制御部２１１は、前述のように屈折力測定のためのリング状の測定パターン光束を被検眼Ｅに投射させる。被検眼Ｅからの測定パターン光束の戻り光に基づくリング像が撮像素子５９の撮像面に結像される。主制御部２１１は、撮像素子５９により検出された眼底Ｅｆからの戻り光に基づくリング像を取得できたか否かを判定する。例えば、主制御部２１１は、撮像素子５９により検出された戻り光に基づく像のエッジの位置（画素）を検出し、像の幅（外径と内径との差）が所定値以上であるか否かを判定する。或いは、主制御部２１１は、所定の高さ（リング径）以上の点（像）に基づいてリングを形成できるか否かを判定することにより、リング像を取得できたか否かを判定してもよい。
【０１４９】
リング像を取得できたと判定されたとき、眼屈折力算出部２２１は、被検眼Ｅに投射された測定パターン光束の戻り光に基づくリング像を公知の手法で解析し、仮の球面度数Ｓ及び仮の乱視度数Ｃを求める。主制御部２１１は、求められた仮の球面度数Ｓ及び乱視度数Ｃに基づき、レフ測定光源６１、合焦レンズ７４、及び固視ユニット４０（液晶パネル４１）を等価球面度数（Ｓ＋Ｃ／２）の位置（仮の遠点に相当する位置）へ移動させる。主制御部２１１は、その位置から固視ユニット４０（液晶パネル４１）を更に雲霧位置に移動させた後、本測定としてレフ測定投射系６及びレフ測定受光系７を制御することによりリング像を再び取得させる。主制御部２１１は、前述と同様に得られたリング像の解析結果と合焦レンズ７４の移動量から球面度数、乱視度数及び乱視軸角度を眼屈折力算出部２２１に算出させる。
【０１５０】
また、眼屈折力算出部２２１は、求められた球面度数及び乱視度数から被検眼Ｅの遠点に相当する位置（本測定により得られた遠点に相当する位置）を求める。主制御部２１１は、求められた遠点に相当する位置に液晶パネル４１を移動させる。制御部２１０では、合焦レンズ７４の位置や算出された球面度数などが記憶部２１２に記憶される。主制御部２１１からの指示、又は操作部２８０に対するユーザの操作若しくは指示により、眼科装置１０００の動作はステップＳ３に移行する。
【０１５１】
リング像を取得できないと判定されたとき、主制御部２１１は、強度屈折異常眼である可能性を考慮して、レフ測定光源６１及び合焦レンズ７４をあらかじめ設定したステップでマイナス度数側（例えば−１０Ｄ）、プラス度数側（例えば＋１０Ｄ）へ移動させる。主制御部２１１は、レフ測定受光系７を制御することにより各位置でリング像を検出させる。それでもリング像を取得できないと判定されたとき、主制御部２１１は、所定の測定エラー処理を実行する。このとき、眼科装置１０００の動作はステップＳ３に移行してもよい。制御部２１０では、レフ測定結果が得られなかったことを示す情報が記憶部２１２に記憶される。
【０１５２】
（Ｓ３：ＯＣＴ計測）
まず、主制御部２１１は、固視ユニット４０（液晶パネル４１）を雲霧位置から合焦位置に移動させる。いくつかの実施形態では、合焦位置は、ステップＳ４で特定された等価球面度数（Ｓ＋Ｃ／２）の位置、又は等価球面度数（Ｓ＋Ｃ／２）の位置から干渉信号の強度等が最大になるように調整された位置である。
【０１５３】
続いて、主制御部２１１は、ＯＣＴ光源１０１を点灯させ、光スキャナー８８を制御することにより眼底Ｅｆの所定の部位（黄斑部を含む部位）を測定光ＬＳでスキャンさせる。測定光ＬＳのスキャンにより得られた検出信号は画像形成部２２２に送られる。画像形成部２２２は、得られた検出信号から眼底Ｅｆの断層像を形成する。
【０１５４】
（Ｓ４：眼内距離を算出）
主制御部２１１は、ステップＳ３において得られた干渉光の検出結果又は眼底Ｅｆの断層像から１以上の眼内距離を眼内距離算出部２３１に算出させる。眼内距離算出部２３１は、眼軸長、角膜厚、前房深度、水晶体厚、硝子体腔長、網膜厚、脈絡膜厚などを算出する。
【０１５５】
（Ｓ５：軸性近視判定）
次に、主制御部２１１は、ステップＳ２において得られた屈折力値と、ステップＳ４において求められた１以上の眼内距離と、記憶部２１２に記憶された被検者の情報と標準データとに基づいて被検眼Ｅが軸性近視であるか否かを判定部２３２に判定させる。判定部２３２は、上記のように被検眼Ｅが軸性近視であるか否かを判定する。
【０１５６】
（Ｓ６：進行情報を生成）
更に、主制御部２１１は、ステップＳ２において得られた屈折力値と、ステップＳ４において求められた１以上の眼内距離と、記憶部２１２に記憶された被検者の情報と標準データとに基づいて被検眼Ｅの軸性近視の進行情報を近視進行推定部２３３に生成させる。近視進行推定部２３３は、上記のように被検眼Ｅの軸性近視の進行情報を生成する。
【０１５７】
（Ｓ７：表示）
続いて、主制御部２１１は、ステップＳ５において得られた判定部２３２の判定結果に対応した情報と、ステップＳ６において得られた軸性近視の進行情報とを表示部２７０に表示させる。
【０１５８】
図６に、実施形態に係る表示部２７０の表示例を模式的に示す。
【０１５９】
例えば、主制御部２１１は、ステップＳ２において取得された屈折力値ＲＥＳ１と、ステップＳ４において求められた１以上の眼内距離ＲＥＳ２と、ステップＳ５において得られた判定部２３２の判定結果に対応した情報ＤＴと、ステップＳ６において得られた軸性近視の進行情報ＧＰ１と、屈折力値や眼軸長の将来の推定値ＰＩとを表示させる。推定値ＰＩは、進行情報ＧＰ１から生成することが可能である。図６では、被検眼Ｅが軸性近視ではないとの判定結果に対応した情報ＤＴが表示されている。進行情報ＧＰ１として、所望の年令以降の眼軸長や屈折力値の推定値や、眼軸長や屈折力値の推定値の時間変化を表すグラフなどがある。
【０１６０】
以上で、眼科装置１０００動作は、終了となる（エンド）。
【０１６１】
図５は、１回の屈折力測定及びＯＣＴ計測により得られた測定値及び計測値に基づいて軸性近視の判定及び軸性近視の進行情報を生成する場合の動作例を表す。しかしながら、実施形態に係る眼科装置１０００の動作は図５に示すフローに限定されるものではない。
【０１６２】
図７に、眼科装置１０００の動作の他の例を示す。図７は、図５と同様に、眼科装置１０００の動作例のフロー図を表す。記憶部２１２には、図７に示す処理を実現するためのコンピュータプログラムが記憶されている。主制御部２１１は、このコンピュータプログラムに従って動作することにより、図７に示す処理を実行する。ここでは、被検者の情報と、図５に示すフローで得られた屈折力測定の測定値及びＯＣＴ計測の計測値が記憶部２１２にあらかじめ保存されているものとする。なお、図７において、図５と同様の部分については詳細な説明を省略する。
【０１６３】
（Ｓ１１：アライメント）
主制御部２１１は、ステップＳ１と同様にアライメントを実行する。いくつかの実施形態では、前回の屈折力値等の測定時に得られたアライメント情報を用いてアライメントが実行される。
【０１６４】
（Ｓ１２：屈折力測定）
主制御部２１１は、ステップＳ２と同様に屈折力測定を実行する。いくつかの実施形態では、前回の屈折力測定時に得られた光学系の位置情報に基づいて、屈折力測定を行うための光学系の位置関係が変更される。
【０１６５】
（Ｓ１３：ＯＣＴ計測）
主制御部２１１は、ステップＳ３と同様にＯＣＴ計測を実行する。いくつかの実施形態では、前回のＯＣＴ計測時に得られた光学系の位置情報に基づいて、ＯＣＴ計測を行うための光学系の位置関係が変更される。
【０１６６】
（Ｓ１４：眼内距離を算出）
主制御部２１１は、ステップＳ４と同様に、ステップＳ１３において得られた干渉光の検出結果又は眼底Ｅｆの断層像から１以上の眼内距離を眼内距離算出部２３１に算出させる。眼内距離算出部２３１は、少なくとも前回の眼内距離算出時と同じ眼内距離を算出する。ここでは、眼内距離算出部２３１は、眼軸長、角膜厚、前房深度、水晶体厚、硝子体腔長、網膜厚、脈絡膜厚を算出する。更に、眼内距離算出部２３１は、これらの経時変化を算出する。
【０１６７】
（Ｓ１５：軸性近視判定）
主制御部２１１は、ステップＳ５と同様に、ステップＳ１２において得られた屈折力値と、ステップＳ１４において求められた１以上の眼内距離と、記憶部２１２に記憶された被検者の情報と標準データとに基づいて被検眼Ｅが軸性近視であるか否かを判定部２３２に判定させる。
【０１６８】
（Ｓ１６：経過解析）
主制御部２１１は、例えば、上記の相関関数Ｊ１に、記憶部２１２に保存された前回の測定により得られた屈折力値や１以上の眼内距離と、今回の測定により得られた屈折力値や１以上の眼内距離とを代入して、将来の被検眼Ｅの眼軸長の推定値を取得する。主制御部２１１は、例えば、上記の相関関数Ｋ１に、記憶部２１２に保存された前回の測定により得られた屈折力値や１以上の眼内距離と、今回の測定により得られた屈折力値や１以上の眼内距離とを代入して、将来の被検眼Ｅの屈折力値の推定値を取得する。
【０１６９】
（Ｓ１７：進行情報を生成）
主制御部２１１は、ステップＳ１２において得られた屈折力値とその変化、ステップＳ１４において求められた１以上の眼内距離とその変化、記憶部２１２に記憶された被検者の情報と標準データとに基づいて被検眼Ｅの軸性近視の進行情報を近視進行推定部２３３に出力させる。
【０１７０】
（Ｓ１８：表示）
主制御部２１１は、ステップＳ１５において得られた判定部２３２の判定結果に対応した情報と、ステップＳ１７において得られた軸性近視の進行情報とを表示部２７０に表示させる。
【０１７１】
図８及び図９に、実施形態に係る表示部２７０に表示される進行情報ＧＰ１を模式的に示す。図８は、ステップＳ６において生成された進行情報の一例を表す。図９は、ステップＳ１７において生成された進行情報の一例を表す。
【０１７２】
例えば、主制御部２１１は、図８に示すように、標準データに基づく将来の眼軸長の変化特性Ｑ１及び将来の屈折力値の変化特性Ｑ２と共に、現在の被検者の年齢を基準として将来の眼軸長の推定値の変化特性Ｑ１０及び将来の屈折力値（球面度数）の推定値の変化特性Ｑ１１を表示部２７０に表示させる。変化特性Ｑ１、Ｑ２を実線で表し、変化特性Ｑ１０、Ｑ１１を破線で表すことで、測定時点を基準に将来の眼軸長や屈折力値の変化を認識し易くすることができる。
【０１７３】
例えば、主制御部２１１は、図９に示すように、標準データに基づく将来の眼軸長の変化特性Ｑ１及び将来の屈折力値の変化特性Ｑ２と共に、２以上の眼軸長の測定値に基づく将来の眼軸長の推定値の変化特性Ｑ１０´及び２以上の屈折力値（球面度数）の測定値に基づく将来の屈折力値の推定値の変化特性Ｑ１１´を表示部２７０に表示させる。変化特性Ｑ１、Ｑ２を実線で表し、変化特性Ｑ１０´、Ｑ１１´を破線で表すことで、将来の眼軸長や屈折力値の変化を認識し易くすることができる。
【０１７４】
なお、図８及び図９では、将来の眼軸長及び屈折力値の推定値について説明したが、主制御部２１１は、将来の角膜厚、前房深度、水晶体厚、硝子体腔長、網膜厚、脈絡膜厚の推定値についても同様に表示部２７０に表示させることが可能である。
【０１７５】
以上説明したように、実施形態によれば、標準データに基づいて屈折力測定及びＯＣＴ計測により得られた情報から被検眼Ｅが軸性近視であるか否かを判定するようにしたので、近視進行の予測の信頼性を向上させることが可能になる。また、実施形態によれば、標準データに基づいて屈折力測定及びＯＣＴ計測により得られた情報から被検眼Ｅの軸性近視の進行情報を生成するようにしたので、近視進行の予測の信頼性を向上させることが可能になる。
【０１７６】
いくつかの実施形態において、屈折力値、１以上の眼内距離の他に、ケラト測定により得られた角膜形状情報、調節微動の測定値、筋電計の測定、血流情報等に基づいて軸性近視であるか否かを判定したり、軸性近視の進行情報を生成したりする。
【０１７７】
いくつかの実施形態では、屈折力値と１以上の眼内距離と被検者の情報とから、被検眼Ｅが軸性近視であるか屈折性近視であるかを判定する。いくつかの実施形態では、近視と判断された年令、近視と判断されてからの年数、角膜形状（厚さ）や水晶体厚の変化から屈折性近視か否かを判定する。
【０１７８】
［作用・効果］
実施形態に係る眼科装置の作用及び効果について説明する。
【０１７９】
いくつかの実施形態に係る眼科装置（１０００）は、屈折力測定部（レフ測定投射系６、レフ測定受光系７、及び眼屈折力算出部２２１）と、眼内距離測定部（ＯＣＴ光学系８、眼内距離算出部２３１）と、記憶部（２１２）と、解析部（データ処理部２２３）とを含む。屈折力測定部は、被検眼（Ｅ）の屈折力の測定値を取得する。眼内距離測定部は、被検眼における１以上の眼内距離の測定値を取得する。記憶部は、正常眼である被測定者の眼の屈折力及び１以上の眼内距離に被測定者の情報が関連付けられた標準データ（ノーマティブデータ）をあらかじめ記憶する。解析部は、屈折力測定部により取得された屈折力の測定値と、眼内距離測定部により取得された１以上の眼内距離の測定値と、被検者の情報と、標準データとに基づいて被検眼が軸性近視であるか否かを判定する。
【０１８０】
このような構成によれば、被検眼の屈折力の測定値及び１以上の眼内距離の測定値と、被検者の情報と、標準データとに基づいて被検眼が軸性近視であるか否かを判定するようにしたので、軸性近視であるか否かの判定の信頼性を向上させることができる。その結果、より高い信頼性で軸性近視の進行を予測することが可能になる。
【０１８１】
いくつかの実施形態に係る眼科装置では、解析部は、屈折力の測定値、１以上の眼内距離の測定値及び被検者の情報と、標準データとを比較することにより被検眼が軸性近視であるか否かを判定する。
【０１８２】
このような構成によれば、屈折力や１以上の眼内距離の測定値及び被検者の情報と標準データとの比較結果を用いて被検眼が軸性近視であるか否かを判定するようにしたので、簡素な処理で、信頼性の高い軸性近視の判定が可能になる。
【０１８３】
いくつかの実施形態に係る眼科装置は、解析部により得られた被検眼が軸性近視であるか否かを示す判定結果に対応した情報を表示手段（表示部１０、２７０）に表示させる制御部（２１０、主制御部２１１）を含む。
【０１８４】
このような構成によれば、注意喚起、近視抑制提案、定期健診の勧め、生活習慣の見直し等の対策を容易に行うことができるようになる。
【０１８５】
いくつかの実施形態に係る眼科装置では、解析部は、標準データに基づいて眼の屈折力、１以上の眼内距離、及び被測定者の情報の少なくとも１つを変数としてあらかじめ求められた第１解析情報を参照することにより、軸性近視の進行情報を生成する。
【０１８６】
このような構成によれば、任意の屈折力や１以上の眼内距離の測定値及び被検者の情報に対して、比較的簡素な処理で軸性近視の進行度や将来の進行具合を被検者等に提示することが可能になる。
【０１８７】
いくつかの実施形態に係る眼科装置（１０００）は、屈折力測定部（レフ測定投射系６、レフ測定受光系７、及び眼屈折力算出部２２１）と、眼内距離測定部（ＯＣＴ光学系８、眼内距離算出部２３１）と、記憶部（２１２）と、解析部（データ処理部２２３）とを含む。屈折力測定部は、被検眼（Ｅ）の屈折力の測定値を取得する。眼内距離測定部は、被検眼における１以上の眼内距離の測定値を取得する。記憶部は、正常眼である被測定者の眼の屈折力及び１以上の眼内距離に被測定者の情報が関連付けられた標準データをあらかじめ記憶する。解析部は、屈折力測定部により取得された屈折力の測定値と、眼内距離測定部により取得された１以上の眼内距離の測定値と、被検者の情報と、標準データとに基づいて被検眼の軸性近視の進行情報を生成する。
【０１８８】
このような構成によれば、被検眼の屈折力の測定値及び１以上の眼内距離の測定値と、被検者の情報と、標準データとに基づいて被検眼の軸性近視の進行情報を生成するようにしたので、軸性近視の予測の信頼性を向上させることができる。
【０１８９】
いくつかの実施形態に係る眼科装置では、解析部は、互いに異なる測定タイミングで屈折力測定部により取得された２以上の屈折力の測定値と、互いに異なる測定タイミングで眼内距離測定部により取得された２以上の上記の眼内距離の測定値と、被検者の情報と、標準データとに基づいて被検眼の軸性近視の進行情報を生成する。
【０１９０】
このような構成によれば、屈折力の測定値の変化や１以上の眼内距離の測定値の変化を加味して軸性近視の進行度や将来の進行具合を示す情報を生成するようにしたので、軸性近視の予測の信頼性をより一層向上させることができる。
【０１９１】
いくつかの実施形態に係る眼科装置（１０００）は、屈折力測定部（レフ測定投射系６、レフ測定受光系７、及び眼屈折力算出部２２１）と、眼内距離測定部（ＯＣＴ光学系８、眼内距離算出部２３１）と、記憶部（２１２）と、解析部（データ処理部２２３）とを含む。屈折力測定部は、被検眼（Ｅ）の屈折力の測定値を取得する。眼内距離測定部は、被検眼における１以上の眼内距離の測定値を取得する。記憶部は、正常眼である被測定者の眼の屈折力及び１以上の眼内距離に被測定者の情報が関連付けられた標準データをあらかじめ記憶する。解析部は、互いに異なる測定タイミングで屈折力測定部により取得された２以上の屈折力の測定値と、互いに異なる測定タイミングで眼内距離測定部により取得された２以上の上記の眼内距離の測定値と、被検者の情報と、標準データとに基づいて被検眼の軸性近視の進行情報を生成する。
【０１９２】
このような構成によれば、被検眼の屈折力の測定値及び１以上の眼内距離の測定値と、これらの変化と、被検者の情報と、標準データとに基づいて被検眼の軸性近視の進行度や将来の進行具合を示す情報を生成するようにしたので、軸性近視の予測の信頼性を向上させることができる。
【０１９３】
いくつかの実施形態に係る眼科装置では、解析部は、標準データに基づいて眼の屈折力と当該屈折力の変化、１以上の眼内距離と当該１以上の眼内距離の変化、及び被測定者の情報の少なくとも１つを変数としてあらかじめ求められた第２解析情報を参照することにより、軸性近視の進行情報を生成する。
【０１９４】
このような構成によれば、任意の屈折力や１以上の眼内距離の測定値やこれらの変化及び被検者の情報に対して、比較的簡素な処理で軸性近視の進行度や将来の進行具合を被検者等に提示することが可能になる。
【０１９５】
いくつかの実施形態に係る眼科装置では、進行情報は、屈折力及び１以上の眼内距離の少なくとも一方の測定タイミングより後の屈折力及び１以上の眼内距離の少なくとも一方の推定値を含む。
【０１９６】
このような構成によれば、被検眼の軸性近視の進行度や将来の進行具合の時間変化をわかりやすく検者や被検者に提示することができるようになる。
【０１９７】
いくつかの実施形態に係る眼科装置は、解析部により得られた進行情報を表示手段（表示部１０、２７０）に表示させる制御部（２１０、主制御部２１１）を含む。
【０１９８】
このような構成によれば、注意喚起、近視抑制提案、定期健診の勧め、生活習慣の見直し等の対策を容易に行うことができるようになる。
【０１９９】
いくつかの実施形態に係る眼科装置では、被測定者の情報及び被検者の情報は、年令と性別とを含む。
【０２００】
このような構成によれば、被検者の年令と性別とを考慮して、軸性近視であるか否かの判定精度を高めたり、軸性近視の進行情報の精度を向上させたりすることが可能になる。
【０２０１】
いくつかの実施形態に係る眼科装置では、被検者の情報は、被検者の近親者の眼特性情報を含む。
【０２０２】
このような構成によれば、被検者の遺伝情報を考慮して、軸性近視であるか否かの判定精度を高めたり、軸性近視の進行情報の精度を向上させたりすることが可能になる。
【０２０３】
いくつかの実施形態に係る眼科装置では、１以上の眼内距離は、眼軸長と、脈絡膜厚とを含む。
【０２０４】
このような構成によれば、軸性近視との相関が高いと考えられている眼軸長と脈絡膜厚とを考慮して、軸性近視であるか否かの判定精度を高めたり、軸性近視の進行情報の精度を向上させたりすることが可能になる。
【０２０５】
いくつかの実施形態では、脈絡膜厚は、中心窩における脈絡膜厚、中心窩付近の平均脈絡膜厚、中心窩付近を分割して得られた複数の象限それぞれにおける平均脈絡膜厚、及び黄斑部の周辺における脈絡膜厚の少なくとも１つを含む。
【０２０６】
このような構成によれば、軸性近視との相関が高いと考えられている脈絡膜厚を考慮して、軸性近視であるか否かの判定精度を高めたり、軸性近視の進行情報の精度を向上させたりすることが可能になる。
【０２０７】
いくつかの実施形態に係る眼科装置では、眼内距離測定部は、光源（ＯＣＴ光源１０１）からの光（Ｌ０）を参照光（ＬＲ）と測定光（ＬＳ）とに分割し、測定光を被検眼に投射し、被検眼からの測定光の戻り光と参照光との干渉光（ＬＣ）を検出するＯＣＴ光学系（８）と、ＯＣＴ光学系により得られた干渉光の検出結果に基づいて１以上の眼内距離を求める眼内距離算出部（２３１）と、を含む。
【０２０８】
このような構成によれば、ＯＣＴ光学系を用いたＯＣＴ計測により得られた計測結果に基づいて１以上の眼内距離を求めるようにしたので、測定値の精度を向上させることにより軸性近視であるか否かの判定精度を高めたり、軸性近視の進行情報の精度を向上させたりすることが可能になる。
【０２０９】
いくつかの実施形態は、取得ステップと、解析ステップとをコンピュータに実行させるための眼科情報処理プログラムである。取得ステップは、被検眼（Ｅ）の屈折力の測定値、被検眼における１以上の眼内距離の測定値、及び被検者の情報を取得する。解析ステップは、取得ステップにおいて取得された屈折力の測定値、１以上の眼内距離の測定値、及び被検者の情報と、正常眼である被測定者の眼の屈折力及び１以上の眼内距離に被測定者の情報が関連付けられた標準データとに基づいて被検眼が軸性近視であるか否かを判定する。
【０２１０】
ここで、「測定値の取得」は、屈折力測定による測定値の取得、又は記憶手段等から過去の屈折力測定により得られた測定値の取得を意味する。このようなプログラムによれば、被検眼の屈折力の測定値及び１以上の眼内距離の測定値と、被検者の情報と、標準データとに基づいて被検眼が軸性近視であるか否かを判定するようにしたので、軸性近視であるか否かの判定の信頼性を向上させることができる。その結果、より高い信頼性で軸性近視の進行を予測することが可能になる。
【０２１１】
いくつかの実施形態に係る眼科情報処理プログラムでは、解析ステップは、屈折力の測定値、１以上の眼内距離の測定値及び被検者の情報と標準データとを比較することにより被検眼が軸性近視であるか否かを判定する。
【０２１２】
このようなプログラムによれば、屈折力や１以上の眼内距離の測定値及び被検者の情報と標準データとの比較結果を用いて被検眼が軸性近視であるか否かを判定するようにしたので、簡素な処理で、信頼性の高い軸性近視の判定が可能になる。
【０２１３】
いくつかの実施形態に係る眼科情報処理プログラムは、解析ステップにおいて得られた被検眼が軸性近視であるか否かを示す判定結果に対応した情報を表示手段（表示部１０、２７０）に表示させる制御ステップを含む。
【０２１４】
このようなプログラムによれば、注意喚起、近視抑制提案、定期健診の勧め、生活習慣の見直し等の対策を容易に行うことができるようになる。
【０２１５】
いくつかの実施形態は、取得ステップと、解析ステップとをコンピュータに実行させるための眼科情報処理プログラムである。取得ステップは、被検眼（Ｅ）の屈折力の測定値、被検眼における１以上の眼内距離の測定値、及び被検者の情報を取得する。解析ステップは、取得ステップにおいて取得された屈折力の測定値と、１以上の眼内距離の測定値と、被検者の情報と、正常眼である被測定者の眼の屈折力及び１以上の眼内距離に被測定者の情報が関連付けられた標準データとに基づいて被検眼の軸性近視の進行情報を生成する。
【０２１６】
ここで、「測定値の取得」は、屈折力測定による測定値の取得、又は記憶手段等から過去の屈折力測定により得られた測定値の取得を意味する。このようなプログラムによれば、被検眼の屈折力の測定値及び１以上の眼内距離の測定値と、被検者の情報と、標準データとに基づいて被検眼の軸性近視の進行情報を生成するようにしたので、軸性近視の予測の信頼性を向上させることができる。
【０２１７】
いくつかの実施形態に係る眼科情報処理プログラムでは、解析ステップは、互いに異なる測定タイミングで取得ステップにおいて取得された２以上の屈折力の測定値、２以上の上記の眼内距離の測定値と、被検者の情報と、標準データとに基づいて被検眼の軸性近視の進行情報を生成する。
【０２１８】
このようなプログラムによれば、屈折力の測定値の変化や１以上の眼内距離の測定値の変化を加味して軸性近視の進行度や将来の進行具合を示す情報を生成するようにしたので、軸性近視の予測の信頼性をより一層向上させることができる。
【０２１９】
いくつかの実施形態は、取得ステップと、解析ステップとをコンピュータに実行させるための眼科情報処理プログラムである。取得ステップは、被検眼（Ｅ）の屈折力の測定値、被検眼における１以上の眼内距離の測定値、及び被検者の情報を取得する。解析ステップは、互いに異なる測定タイミングで取得ステップにおいて取得された２以上の屈折力の測定値と、２以上の上記の眼内距離の測定値と、被検者の情報と、正常眼である被測定者の眼の屈折力及び１以上の眼内距離に被測定者の情報が関連付けられた標準データとに基づいて被検眼の軸性近視の進行情報を生成する。
【０２２０】
ここで、「測定値の取得」は、屈折力測定による測定値の取得、又は記憶手段等から過去の屈折力測定により得られた測定値の取得を意味する。このようなプログラムによれば、被検眼の屈折力の測定値及び１以上の眼内距離の測定値と、これらの変化と、被検者の情報と、標準データとに基づいて被検眼の軸性近視の進行度や将来の進行具合を示す情報を生成するようにしたので、軸性近視の予測の信頼性を向上させることができる。
【０２２１】
いくつかの実施形態に係る眼科情報処理プログラムでは、進行情報は、屈折力及び１以上の眼内距離の少なくとも一方の測定タイミングより後の屈折力及び１以上の眼内距離の少なくとも一方の推定値を含む。
【０２２２】
このようなプログラムによれば、被検眼の軸性近視の進行度や将来の進行具合の時間変化をわかりやすく検者や被検者に提示することができるようになる。
【０２２３】
いくつかの実施形態に係る眼科情報処理プログラムは、解析ステップにおいて得られた進行情報を表示手段（表示部１０、２７０）に表示させる制御ステップを含む。
【０２２４】
このようなプログラムによれば、注意喚起、近視抑制提案、定期健診の勧め、生活習慣の見直し等の対策を容易に行うことができるようになる。
【０２２５】
いくつかの実施形態に係る眼科情報処理プログラムでは、被測定者の情報及び被検者の情報は、年令と性別とを含む。
【０２２６】
このようなプログラムによれば、被検者の年令と性別とを考慮して、軸性近視であるか否かの判定精度を高めたり、軸性近視の進行情報の精度を向上させたりすることが可能になる。
【０２２７】
いくつかの実施形態に係る眼科情報処理プログラムでは、被検者の情報は、被検者の近親者の眼特性情報を含む。
【０２２８】
このようなプログラムによれば、被検者の遺伝情報を考慮して、軸性近視であるか否かの判定精度を高めたり、軸性近視の進行情報の精度を向上させたりすることが可能になる。
【０２２９】
いくつかの実施形態に係る眼科情報処理プログラムでは、１以上の眼内距離は、眼軸長と、脈絡膜厚とを含む。
【０２３０】
このようなプログラムによれば、軸性近視との相関が高いと考えられている眼軸長と脈絡膜厚とを考慮して、軸性近視であるか否かの判定精度を高めたり、軸性近視の進行情報の精度を向上させたりすることが可能になる。
【０２３１】
いくつかの実施形態では、脈絡膜厚は、中心窩における脈絡膜厚、中心窩付近の平均脈絡膜厚、中心窩付近を分割して得られた複数の象限それぞれにおける平均脈絡膜厚、及び黄斑部の周辺における脈絡膜厚の少なくとも１つを含む。
【０２３２】
このようなプログラムによれば、軸性近視との相関が高いと考えられている脈絡膜厚を考慮して、軸性近視であるか否かの判定精度を高めたり、軸性近視の進行情報の精度を向上させたりすることが可能になる。
【０２３３】
＜その他＞
以上に示された実施形態は、この発明を実施するための一例に過ぎない。この発明を実施しようとする者は、この発明の要旨の範囲内において任意の変形、省略、追加等を施すことが可能である。
【０２３４】
上記の実施形態では、ＯＣＴ計測により得られた計測結果を用いて眼内距離を求める場合について説明したが、実施形態に係る眼科装置の構成はこれに限定されるものではない。実施形態に係る眼科装置は、超音波方式で眼内距離を測定するものに適用することができる。
【符号の説明】
【０２３５】
１  Ｚアライメント系
２  ＸＹアライメント系
３  ケラト測定系
４  固視投影系
５  前眼部観察系
６  レフ測定投射系
７  レフ測定受光系
８  ＯＣＴ光学系
９  処理部
２１０  制御部
２１１  主制御部
２２３  データ処理部
２３１  眼内距離算出部
２３２  判定部
２３３  近視進行推定部
２３３Ａ  多変量解析部
２３３Ｂ  進行情報生成部
１０００  眼科装置
【図１】
2019170706.tif 000003
【図２】
2019170706.tif 000004
【図３】
2019170706.tif 000005
【図４】
2019170706.tif 000006
【図５】
2019170706.tif 000007
【図６】
2019170706.tif 000008
【図７】
2019170706.tif 000009
【図８】
2019170706.tif 000010
【図９】
2019170706.tif 000011